(57)【要約】      （修正有）【課題】組立性の向上を図り、光源から発生する熱を効率よく放熱し、小型化、信頼性の向上を図る非常用照明器具を提供する。【解決手段】照明器具１００において、奥板と側板とを有する本体１０と、光源と枠２９とを有する光源ユニット２０とを備える。本体１０は、取付バネ７５１を側板の立設方向と同じ方向に立設させて取り付けたバネ立設部７９０を有する。バネ立設部７９０は、挿入孔を有する１対の橋梁部と取付バネ７５１の抜け防止のための凸部とを有する。枠２９は、取付バネ７５１を嵌めこむバネ受け７５２を有する。バネ受け７５２は、取付バネ７５１をガイドするガイド板部とサイド板部とを有し、取付バネ７５１を嵌めこんだ状態で、サイド板部の板端部又はガイド板部の板端部により光源ユニット２０を本体１０に位置決めする。【選択図】図４６
2020057614.tif 000002
【特許請求の範囲】
【請求項１】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネを前記バネ受けに対して押し込むだけで前記取付バネを前記バネ受けに挿入することができるように、前記側板の面に沿って前記取付バネを自立させており、
前記取付バネは、ひし形形状の線材であり、前記取付バネのひし形形状への復元力により前記取付バネが前記バネ受けに対してはめ込まれる照明器具の本体。
【請求項２】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネの先端を挿入した挿入孔を有する１対の橋梁部を有し、
前記橋梁部は前記側板の外側に突出している照明器具の本体。
【請求項３】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネの先端を挿入して前記取付バネを回転可能に保持する１対の橋梁部を有し、
前記側板は、前記側板の壁面で前記取付バネの回転を抑制する照明器具の本体。
【請求項４】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネの先端を挿入した挿入孔を有する１対の橋梁部を有し、
前記側板は、前記１対の橋梁部の間に、凸部を有する照明器具の本体。
【請求項５】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネの先端を挿入した挿入孔を有する１対の橋梁部を有し、
前記取付バネは、両端に前記挿入孔に挿入される１対の直線部を有し、
前記１対の橋梁部の間隔は、前記１対の直線部の長さを合計した長さよりも短い照明器具の本体。
【請求項６】
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネの先端を挿入した挿入孔を有する１対の橋梁部を有し、
前記１対の橋梁部は、前記側板の一部をトンネル形状にプレス加工した部分である照明器具の本体。
【請求項７】
請求項１から６のいずれか１項に記載の照明器具の本体と、
前記取付バネにより取り付けられる枠と光源とを有する光源ユニットと
を備えた照明器具。
【請求項８】
照明器具の本体に対して、取付バネにより取り付けられる照明器具の枠において、
前記取付バネの半径方向のはめ込みをガイドするガイド板部と、
前記ガイド板部とつながっており、前記取付バネの幅方向のはめ込みをガイドするサイド板部と、
前記サイド板部とつながっており、前記枠の内面形状に沿った曲面を有し、前記枠の内面に接合された接合板部と
を有するバネ受けを備えた照明器具の枠。
【請求項９】
照明器具の本体に対して、取付バネにより取り付けられる照明器具の枠において、
前記取付バネの半径方向のはめ込みをガイドするガイド板部と、
前記ガイド板部とつながっており、前記取付バネの幅方向のはめ込みをガイドするサイド板部と、
を有するバネ受けを備え、
前記サイド板部は、前記取付バネを嵌めこむ方向に向かって前記ガイド板部と前記枠の内面との間隔が次第に狭くなるように、台形状をしている照明器具の枠。
【請求項１０】
照明器具の本体に対して、取付バネにより取り付けられる照明器具の枠において、
前記取付バネを嵌めこむ方向に向かって隆起させたバネ止めを有するバネ受けを備えた照明器具の枠。
【請求項１１】
請求項８から１０のいずれか１項に記載の照明器具の枠と、
前記取付バネを有する照明器具の本体と
を備えた照明器具。
【発明の詳細な説明】
【技術分野】
【０００１】
本発明は、照明器具に関するものである。
本発明は、電池を電源とする照明器具および非常用照明器具に好適である。
本発明は、天井などの被取付部に埋め込み固定配置される非常用照明器具などの照明器具に好適である。
【背景技術】
【０００２】
ＬＥＤ基板と電源基板を熱的に結合することを特徴とする非常用照明器具が提示されている（例えば、特許文献１参照）。
しかしながら、特許文献１に記載の構成においては、ＬＥＤ基板と電源基板を熱的に結合しているため、どちらかが駆動している際は、もう一方の駆動していない基板に対し、意図しない熱を与えてしまう、という課題があった。
【０００３】
また、器具本体内に熱的に分離した２つの空間を設け、それぞれの空間に光源および点灯回路を収納した非常用照明器具が提示されている（例えば、特許文献２参照）。
しかしながら、特許文献２に記載の構成においては、一方の収納空間内に光源と回路基板が収納されるため、光源が点灯した場合に、回路基板に熱を与えてしまう、という課題があった。
【０００４】
また、ＬＥＤを備えた光源部に複数の放熱フィンを備えた放熱部が当接する事により、ＬＥＤが発する熱を効率的に放熱し、所定時間照射させる非常用照明器具が提示されている（例えば、特許文献３参照）。
しかしながら、特許文献３には、非常用照明器具の放熱部から器具外部への放熱に関しての記載がない。放熱部が器具内部に対して放熱している場合は、ＬＥＤの周囲温度が上昇すると考えられ、ＬＥＤの光束の減衰、短寿命化が考えられる。
【０００５】
また、器具本体の側方へ点灯装置を突設させることで器具本体を小型化し、器具設置穴の小径化や、意匠部分の小型化を可能としている非常用照明器具が提示されている（例えば、特許文献３参照）。
しかしながら、特許文献３に記載の非常用照明器具では、器具本体外側に突出した点灯装置によって、設置後の器具占有スペース自体は大きくなってしまい、隣接する造営材や他器具への配慮が必要とされる。
【０００６】
また、電池挿入開口部から電池を挿入し、電池を電池取付部にとりつける非常用照明器具が提示されている（例えば、特許文献４参照）。
しかしながら、特許文献４には、非常用照明器具の電池挿入時に利用するガイドの工夫に関する記載がない。ガイドの工夫がなければ、コネクタ接続部がうまく勘合しない可能性があり、電池の着脱性に課題があった。
【０００７】
また、主光源成されていたため、内部に絶縁シートを配置する必要があった。絶縁シートが透明な場合であれば、確認穴から内部の放熱パッドが確認できるが、絶縁シートが有色の材料の場合は視認不可となる構成であった。
【０００８】
また、放熱部にさらにヒートシンクを追加し、放熱効果をあげることを特徴としたＬＥＤ照明器具が提示されている。（例えば、特許文献となるＬＥＤの点灯装置を器具の外側に配置し、主光源となるＬＥＤ基板とは別に点検スイッチおよびモニタ用ＬＥＤを設けさらに主光源となるＬＥＤの横に配置した非常用照明器具が提示されている（例えば、特許文献３参照）。
しかしながら、特許文献３に記載の構成においては、ＬＥＤ基板とモニタ用ＬＥＤを同一の基板に設けたため、モニタ用ＬＥＤは主光源のＬＥＤの熱の影響を意図せず受けてしまう。また、主光源となるＬＥＤとモニタ用ＬＥＤを同一の基板に配置したため、モニタ用ＬＥＤの配置を変更したい場合においても、容易に変更ができない、という課題があった。
【０００９】
また、主光源となるＬＥＤと同一の基板にモニタ用のＬＥＤを実装し、点検スイッチを別基板とした非常用照明器具が提案されている（例えば、特許文献５参照）。
特許文献５に記載の構成においては、主光源となるＬＥＤが配置された基板とは別にモニタ用ＬＥＤおよび点検スイッチを設けたので配置の自由度はあるが、点灯装置を器具の外側に配置しているため、器具の取付施工に制約が発生しまう、という課題があった。
【００１０】
また、コネクタを電池ケースのコネクタ保持部に取り付けた電池収納ボックスが提案されている（例えば、特許文献６参照）。
特許文献６に記載の構成においては、コネクタを電池ケースのコネクタ保持部に取り付けた後、蓋を取り付ける必要があった。また、コネクタの取付は電池ケース外側からのみ実施が可能であった。
【００１１】
また、板金の底板に確認穴をあけ、確認穴から絶縁板および放熱パッドが外部より確認可能となっている点灯装置が提案されている（例えば、特許文献７参照）。
特許文献７に記載の構成においては、点灯装置のケース本体が金属で構８参照。）
特許文献８に記載の構成においては、ヒートシンクを製作する際に金型費用が発生してしまうと共に、ヒートシンクを本体内に配置するような器具の場合、ヒートシンクを追加しても空気の対流が少ないため、放熱効果が少ないことが懸念される。
【００１２】
また、器具本体に１対のカバー取付バネが取り付けられている照明器具が提示されている（例えば、特許文献９参照）。
特許文献９に記載の構成においては、取付時には、カバー取付バネはカバーに隠れることになり、取付時にうまく取付できないという課題があった。また、カバー取付バネを位置決めする手段がなく、全く異なるところに挿入する可能性があった。
【先行技術文献】
【特許文献】
【００１３】
【特許文献１】特開２０１２−００４０５０号公報（段落「０００９」参照。）
【特許文献２】特開２０１２−１８５９３２号公報（段落「００１０」参照。）
【特許文献３】特開２０１４−０３２８６８号公報（段落「００６４」〜「００６６」参照。）
【特許文献４】特開２００８−２６２７７０号公報
【特許文献５】特開２０１２−０８４３２４号公報（段落「００３１」参照。）
【特許文献６】特開２００４−１８５８４２号公報（段落「００１０」、「００１１」、「００２７」参照。）
【特許文献７】特開２０１０−１３５２６３号公報（段落「００１２」参照。）
【特許文献８】特開２０１４−７１２４号公報（段落「０００９」参照。）
【特許文献９】特開平１０−２０８５３３号公報
【発明の概要】
【発明が解決しようとする課題】
【００１４】
非常用照明器具は火災などで停電が発生した場合、停電時に一定の照度を確保し、避難を速やかに行うことができるよう建築基準法によって構造・設置基準が定められている。  
【００１５】
火災発生時等における停電の際に点灯する非常用照明器具は、火災などの非常時においても所定の明るさ（高温時に床面照度１ｌｘ）を担保しなければならない。
【００１６】
近年、光源として普及しているＬＥＤは、温度が上昇するにつれて出射される光束が減衰してしまう。そのため、ＬＥＤを放熱させることが重要な課題となっている。
【００１７】
また、非常用光源のみ搭載する専用形の非常用照明器具は、停電時以外の常用時は、電池を充電している状態であり、光源は点灯していないため、照明器具としての存在感は小さい方が好ましく、器具設置スペースの縮小化や省電力化が求められている。
【００１８】
本発明の実施の形態では、照明器具の光源から発生する熱を効率よく放熱したい。
【００１９】
また、本発明の実施の形態では、照明器具の組立性の向上を図りたい。
【００２０】
また、本発明の実施の形態では、照明器具の小型化、信頼性の向上を図りたい。
【００２１】
また、本発明の実施の形態では、照明器具の小空間におけるバッテリユニットの装着性を改善したい。
【００２２】
また、本発明の実施の形態では、異なる照明器具においても使用可能な点検ユニットを提供したい。
【００２３】
また、本発明の実施の形態では、点灯装置のケースの内側からコネクタを容易に固定できるようにしたい。さらに、点灯装置の小型化したケースにおいてもコネクタを容易に取付可能としたい。
【００２４】
また、本発明の実施の形態では、点灯装置の内部部品の絶縁を確保しながら、点灯装置の内部の部品を視認可能としたい。
【００２５】
また、本発明の実施の形態では、光源から発生する熱を、部品の共通化を図りできるだけコストを抑え、効率よく放熱したい。
【００２６】
本発明の実施の形態では、取付時にカバー取付バネを正しい位置に挿入できるようにしたい。
【課題を解決するための手段】
【００２７】
この発明の照明器具の本体は、
奥板と、
前記奥板から立設された側板と、
前記側板に取り付けられ、バネ受けに対してはめ込まれる取付バネと、
を備え、
前記側板は、前記取付バネを前記側板の立設方向と同じ方向に立設させて取り付けたバネ立設部を有し、
前記バネ立設部は、前記取付バネを前記バネ受けに対して押し込むだけで前記取付バネを前記バネ受けに挿入することができるように、前記側板の面に沿って前記取付バネを自立させており、
前記取付バネは、ひし形形状の線材であり、前記取付バネのひし形形状への復元力により前記取付バネが前記バネ受けに対してはめ込まれる。
【発明の効果】
【００２８】
この発明によれば、光源ユニットの本体への取付が容易かつ確実になる。
【図面の簡単な説明】
【００２９】
【図１】実施の形態１における照明器具１００の側面図、断面図、斜視図である。
【図２】実施の形態１における照明器具１００の五面図、断面図、開口図である。
【図３】実施の形態１における照明器具１００の分解斜視図である。
【図４】実施の形態１における照明器具１００の光源ユニット２０の斜視図である。
【図５】実施の形態１における照明器具１００の光源ユニット２０の分解斜視図である。
【図６】実施の形態１における照明器具１００の光源ユニット２０の側面図である。
【図７】実施の形態１における照明器具１００の光源ユニット２０の断面図である。
【図８】実施の形態１における照明器具１００のレンズ２１とソケット２４の図である。
【図９】実施の形態１における照明器具１００の光源取付部２７と枠２９の斜視図である。
【図１０】実施の形態１における照明器具１００の枠取付金具２５の図である。
【図１１】実施の形態１における照明器具１００の光源取付部２７と枠２９の部分図である。
【図１２】実施の形態１における照明器具１００の枠取付金具２５による光源取付部２７と枠２９の固定図である。
【図１３】実施の形態１における照明器具１００の光源取付部２７と枠２９と本体１０の配置図である。
【図１４】実施の形態１における照明器具１００の内部部品の分解斜視図である。
【図１５】実施の形態１における照明器具１００の基板ユニット３３の分解斜視図である。
【図１６】実施の形態１における照明器具１００のバッテリユニット４０の図である。
【図１７】実施の形態１における照明器具１００のバッテリユニット４０の点灯装置３０への装着図である。
【図１８】実施の形態１における照明器具１００の点灯装置３０のバッテリ取付部３６の図である。
【図１９】実施の形態２における照明器具１００のバッテリユニット４０の図である。
【図２０】実施の形態２における照明器具１００の図である。
【図２１】実施の形態２における照明器具１００のバッテリユニット４０の図である。
【図２２】実施の形態２における照明器具１００の図である。
【図２３】実施の形態３における照明器具１００の図である。
【図２４】実施の形態３における点検ユニット６０の取付の図である。
【図２５】実施の形態３における点検ユニット６０の取付の図である。
【図２６】実施の形態４における光源ユニット２０の分解斜視図である。
【図２７】実施の形態４における光源ユニット２０の断面図である。
【図２８】実施の形態５における基板ユニット装置３００の取付構造図である。
【図２９】実施の形態５におけるガイドリブ５５２の利用状態を示す図である。
【図３０】実施の形態５におけるガイドリブ５５２の平面図である。
【図３１】実施の形態５におけるコネクタの固定構造の他の構成を示す図である。
【図３２】実施の形態５における基板ユニット装置３００の部品・材料の視認構造を示す図である。
【図３３】実施の形態５におけるバッテリ側ケース３１の三面図と基板ホルダ３３３の三面図である。
【図３４】実施の形態５における基板ユニット装置３００の分解斜視図である。
【図３５】実施の形態５における基板ユニット装置３００の断面図である。
【図３６】実施の形態６における直付用放熱部材６５１を用いた光源ユニット２０の側面図と断面図である。
【図３７】実施の形態６における直付用放熱部材６５１を用いた光源ユニット２０の分解斜視図と組立斜視図である。
【図３８】実施の形態６における光源取付部２７と直付用放熱部材６５１との図である。
【図３９】実施の形態６における埋込用放熱部材６６１を用いた光源ユニット２０の側面図と断面図である。
【図４０】実施の形態６における埋込用放熱部材６６１を用いた光源ユニット２０の分解斜視図と斜視図である。
【図４１】実施の形態７における本体１０と光源ユニット２０の取付構造を示す五面図と断面図である。
【図４２】実施の形態７における直付用照明器具１００の分解斜視図である。
【図４３】実施の形態７における直付用照明器具１００の本体１０と光源ユニット２０の分解斜視図である。
【図４４】実施の形態７における取付バネ７５１とバネ受け７５２の嵌め合せを示す図である。
【図４５】実施の形態８における直付用照明器具１００の分解斜視図である。
【図４６】実施の形態８における直付用照明器具１００の分解斜視図である。
【図４７】実施の形態８における本体１０の平面図とＣＣ断面図とＤＤ拡大断面図である。
【図４８】実施の形態８におけるバネ立設部７９０を示す図である。
【図４９】実施の形態８における取付バネ７５１の三面図である。
【図５０】実施の形態８におけるバネ受け７５２の斜視図と三面図である。
【図５１】実施の形態８におけるバネ立設部７９０の動作を示す図である。
【図５２】実施の形態８における本体１０と光源ユニット２０の取付説明図である。
【図５３】実施の形態８におけるバネ受け７５２と取付バネ７５１の嵌めこみ図である。
【図５４】実施の形態８における本体１０と光源ユニット２０の取付構造の部分断面図である。
【図５５】実施の形態８におけるバネ立設部７９０の橋梁部７９２の他の構成を示す図である。
【図５６】実施の形態８における橋梁部７９２の他の構成図である。
【図５７】実施の形態８におけるガイド板部７８１の他の構成図である。
【発明を実施するための形態】
【００３０】
実施の形態１．
本実施の形態の照明器具１００は、非常用照明器具などの照明器具であって、天井などの被取付部に埋め込みまたは直付け固定される照明器具に好適である。
【００３１】
＊＊＊用語の説明＊＊＊
以下の説明において用いる用語に意味は、以下のとおりである。
軸Ｏ：本体１０の中心軸。
直径Ｄ：本体１０の軸Ｏを通る本体１０の直径。
半径Ｒ：本体１０の軸Ｏから本体１０までの半径。
Ｘ，Ｙ，Ｚ方向：互いに直交する方向。
縦方向：図１に示す本体１０の軸Ｏ方向。図１に示すＺ方向すなわち図１の上下方向。
横方向：図１に示す縦方向と直交する方向。図１に示すＺ方向と直交する方向すなわち図１の左右方向。
直径方向：直径Ｄの方向。本体１０の軸Ｏを通る直線方向。１８０度方向。
奥方向：本体１０の開口から本体１０の奥に向かう方向。光源の発光方向と逆方向。図１において上方向。
開口方向：本体１０の奥から本体１０の開口に向かう方向。光源の発光方向。図１において下方向。
作業空間配置方向Ｘ：本体１０の内部の１対の器具取付作業空間７０が存在する方向。図１では１対の器具取付部１０２を結ぶ直径方向。図１に示すＸ方向。
点灯装置長手方向Ｙ：本体１０の内部の点灯装置３０の長辺Ｌと平行な方向。図１では１対の光源取付孔１２４を結ぶ直径方向。図１に示すＹ方向。
熱的に接続：２個の部品が直接面接触していること、あるいは、大気よりも熱伝導性の優れた物質を間に挟んで２個の部品が面接触していること。２個の部品が単なる電線やワイヤーで接続されている場合は、熱的に接続とはいわない。
熱的に分離：２個の部品間に空間が存在すること、あるいは、２個の部品間に大気よりも熱伝導性の劣る物質が存在すること。２個の部品が単なる電線やワイヤーで接続されていても、熱的に分離という。
【００３２】
＊＊＊照明器具１００の構成の説明＊＊＊
図１は、実施の形態１における照明器具１００の斜視図、側面図、断面図である。
図２は、実施の形態１における照明器具１００の器具取付金具１４を除いた五面図と断面図である。
図２のＤ−Ｄ開口図は、器具取付金具１４と光源ユニット２０とバッテリユニット４０を除いた照明器具の下面図である。
図３は、器具取付金具１４を除いた照明器具１００の分解斜視図である。
【００３３】
照明器具１００は、本体１０と光源ユニット２０と点灯装置３０とバッテリユニット４０と電源端子台５０と点検ユニット６０を備えている。
点灯装置３０とバッテリユニット４０と電源端子台５０は、照明器具１００に収納された内部部品である。
本体１０は、筒状の形状をしている。
本体１０は、金属などの不燃材料により形成されている。
本体１０は、器具取付部１０２により、天井に取り付けられる。器具取付部１０２としては、器具取付金具１４が好適である。
光源ユニット２０は、光源２６を有し、本体１０の開口を塞ぐように取り付けられる。
点灯装置３０は、本体１０の内部に配置され、電力を光源２６に供給する。
点灯装置３０は、光源２６を点灯させる制御装置として機能する。
バッテリユニット４０は、本体１０の内部に配置され、蓄電池を収納し、点灯装置３０に電力を供給する。
電源端子台５０は、本体１０の奥に配置され、外部の商用電源からの電線を接続し、点灯装置３０に電力を供給する。
点検ユニット６０は、照明器具１００の点灯を点検する。
【００３４】
図３を用いて、本体１０について説明する。
本体１０は、一面に開口部１０１を有する有底円筒形状をしている。
本体１０は、点灯装置３０とバッテリユニット４０と電源端子台５０とを収納した金属筐体である。
本体１０は、一方が開口部１０１により開口しており、開口部１０１は、光源ユニット２０により覆われる。
【００３５】
本体１０は、奥板１１と側板１２と鍔１３と器具取付金具１４とを有する。
奥板１１は、本体１０の奥方向を塞いでいる金属円形板である。
側板１２は、パイプ形状をしている金属円筒板である。
鍔１３は、側板１２の開口部１０１の端部に庇状に形成されており、ドーナツ形状をしている。
鍔１３の直径は、天井の器具挿入孔の直径よりも大きく、鍔１３は、天井の器具挿入孔の縁に取り付けられる。鍔１３と器具取付金具１４とが、天井板を上下から挟み込むことで照明器具１００が天井に固定される。
【００３６】
奥板１１は、ネジ孔１１１とネジ穴１１２と端子露出孔１１３を有する。
ネジ孔１１１は、電源端子台５０を固定するネジ１９が貫通する孔である。
ネジ孔１１１を本体１０の側板１２のみに、あるいは、奥板１１と側板１２とに配設し、点灯装置３０を固定してもよい。
ネジ穴１１２は、点灯装置３０を固定するネジ１８を止める穴である。
端子露出孔１１３は、電源端子台５０を露出させる開口である。
ワイヤー１１４は、本体１０又は本体１０の奥板１１に固定され、光源ユニット２０を繋ぐワイヤーである。ワイヤー１１４を本体１０の奥板１１ではなく本体１０に固定する場合は、ワイヤー１１４の固定位置は、本体１０の側板１２の開口部１０１付近としてもよい。
本体１０に内蔵される点灯装置３０と光源２６は、光源用ハーネス３３６により電気的に接続されるが、光源ユニット２０を本体１０に着脱する際に光源用ハーネス３３６に張力がかかるのを防止するために、枠２９と本体１０には光源用ハーネス３３６より短いワイヤー１１４が取り付けられる。ワイヤー１１４は、ひもや金属製ワイヤーなどが用いられ、張力防止ワイヤーとなる。
【００３７】
側板１２は、図２のＢ−Ｂ断面図に示すバッテリ固定用金具１２１と横止め片１２２とスリット１２３と光源取付孔１２４を有する。
バッテリ固定用金具１２１は、Ｖ字の板バネであり、奥方向にＶ字に開いた状態で、側板１２の内周面に固定される。Ｖ字に開いた開口端でバッテリユニット４０を固定しバッテリユニット４０の開口方向への落下を防止する。
横止め片１２２は、側板１２の一部を横方向に矩形に切ってネジ穴を形成し、本体１０の内部に折り曲げた矩形片である。横止め片１２２は、点灯装置３０を横方向からネジ止めするために用いられる。
【００３８】
スリット１２３は、側板１２の縦方向に形成された直線状の開口である。
スリット１２３は、側板１２の縦方向に細長く、かつ、直径方向に対向して、２個形成され、それぞれ器具取付金具１４を装着する。
器具取付金具１４は、作業空間配置方向Ｘに装着される。
器具取付金具１４は、照明器具１００を天井に取り付ける金具である。
器具取付金具１４は、スリット１２３に対して縦方向にスライド可能に装着される。
器具取付金具１４は、スリット１２３を天井の裏面まで縦方向にスライドし、照明器具１００を天井に固定する。
光源取付孔１２４は、側板１２の開口方向寄りに形成された矩形の開口である。
光源取付孔１２４は、側板１２の直径方向に対向して２個形成され、光源ユニット２０の枠取付金具２５を点灯装置長手方向Ｙに取り付ける。
作業空間配置方向Ｘと点灯装置長手方向Ｙとは、直交している。
【００３９】
図２のＤ−Ｄ開口図に示すように、点灯装置３０は、縦方向から覗いた形状が小判型をしいる。
点灯装置３０の長辺Ｌは、本体１０の内周直径と同じである。
点灯装置３０の短辺Ｓは、長辺Ｌより短いので、両サイドに１対の器具取付作業空間７０が形成される。
図２のＤ−Ｄ開口図において、点灯装置３０は、右側面の中央部分に、バッテリユニット４０を収納するへこみ空間７４を有しており、へこみ空間７４がある部分は短辺Ｓよりも短い幅Ｗとなる。
したがって、点灯装置３０の右側には、左側の器具取付作業空間７０よりも広い器具取付作業空間７０が形成される。
図２のＤ−Ｄ開口図において、点灯装置３０の左側の器具取付作業空間７０の直径方向の空間長Ｋ１と点灯装置３０の幅Ｗと、点灯装置３０の右側の器具取付作業空間７０の直径方向の空間長Ｋ２との比は、２対４対４である。
右側の器具取付作業空間７０が広い理由は、バッテリユニット４０を収納するバッテリ取付空間７１として使用するためである。
【００４０】
図２のＢ−Ｂ断面図に示すように、光源ユニット２０は、横方向から見て熱遮断空間７２を介して取り付けられている。
図２のＢ−Ｂ断面図において、熱遮断空間７２の縦方向の長さＫ３は、照明器具１００の本体１０の高さＴの１７％であり、１０％以上２０％以下が好適である。
【００４１】
点灯装置３０は、外郭が樹脂製のケースで構成されている。
点灯装置３０は、奥方向に、奥板１１に対向して、電源端子台５０を収納する収納空間７３を有する。収納空間７３は、点灯装置３０の奥板１１に接する面から開口方向に窪んだ凹部である。
【００４２】
図２のＢ−Ｂ断面図に示すように、バッテリユニット４０は、本体１０の内部のバッテリ取付空間７１に配置され、光源２６に電力を供給する。
バッテリユニット４０は、バッテリ取付空間７１に着脱可能に装着される。
バッテリ取付空間７１は、１対の器具取付作業空間７０の一方の器具取付作業空間７０の一部を占有する。
【００４３】
電源端子台５０は、奥板１１に固定され、本体１０の奥中央に存在する。
電源端子台５０は、一面が端子露出孔１１３から露出し、端子露出孔１１３から外部電源からの電線を接続する。
電源端子台５０は、端子本体５１と端子取付板５２を有する。
端子取付板５２は、端子本体５１を奥板１１にネジ１９で固定するカバーである。
電源端子台５０は、点灯装置３０の収納空間７３に収納され、点灯装置３０のサイド面３５３より外側に突出することはない。
【００４４】
＊＊＊照明器具１００の構造と組立の説明＊＊＊
本体１０は、器具取付金具１４を用いて天井に取り付けられる。
器具取付金具１４は、本体１０に設けられたスリット１２３に嵌められており、天井に器具を設置し、器具取付金具１４を下方向にスライドすることで、本体１０が天井に固定される。
なお、本体１０を天井に固定する方法としては、板バネを用いた方法としてもよい。
【００４５】
点灯装置３０は、長辺Ｌと短辺Ｓと高さＨを有する直方体状の形状を有している。
点灯装置３０は、高さＨが縦方向になるように配置され、かつ、開口部１０１から見て長辺Ｌと短辺Ｓとが見えるように配置されている。
点灯装置３０は、開口部１０１から見て本体１０の中央を横切って配置されている。
点灯装置３０は、点灯装置３０の長手方向が作業空間配置方向Ｘを横ぎって、固定されている。
すなわち、作業空間配置方向Ｘと点灯装置３０の長辺Ｌとは、直交しており、点灯装置長手方向Ｙと点灯装置３０の短辺Ｓとは、直交している。
点灯装置３０の長辺Ｌを有するサイド面３５３と本体１０の内周面との間に、１対の器具取付作業空間７０が形成される。長辺Ｌ＞＞短辺Ｓとして、器具取付作業空間７０を大きくすることが望ましい。
作業空間配置方向Ｘに１対の器具取付作業空間７０があるので、スリット１２３を縦方向にスライドする器具取付金具１４の縦方向の移動を妨げることはない。
短辺Ｓを有する外周面３５４は、本体１０の内周面と同じ半径Ｒを有する曲面であり、外周面３５４は、本体１０の内周面に内接する。
点灯装置３０は、サイド面３５３の奥にサイド面３５３から突出したネジ固定部３７を有する。
【００４６】
照明器具１００の組立方法及び取付方法について、図３を用いて説明する。
Ｓ１．端子本体５１を端子取付板５２に取り付ける。
Ｓ２．端子本体５１と点灯装置３０とを端子台用ハーネス５４で結線する。また、光源用ハーネス３３６の一端を点灯装置３０に結線する。
Ｓ３．端子取付板５２を点灯装置３０に取り付ける。この時点で、電源端子台５０は点灯装置３０の収納空間７３に収納された状態になる。
Ｓ４．点灯装置３０を開口部１０１から奥方向に挿入し、点灯装置３０を本体１０に収納する。この時点で、電源端子台５０は点灯装置３０の収納空間７３に収納されたまま点灯装置３０と一緒に本体１０に収納される。
Ｓ５．ネジ１９をネジ孔１１１からネジ穴５３にねじ込んで電源端子台５０を奥板１１に締結する。電源端子台５０は、端子本体５１の一面を端子露出孔１１３から露出させて、本体１０の奥板１１の中央に固定される。
また、ネジ１９１で本体１０の横止め片１２２と点灯装置３０のネジボス３２５とを締結する。さらに、ネジ１８を本体１０の奥板１１のネジ穴１１２にねじ込み点灯装置３０のネジ固定部３７を本体１０に固定する。
点灯装置３０は、長辺Ｌが点灯装置長手方向Ｙになり、短辺Ｓが作業空間配置方向Ｘになるように本体１０に固定する。
点灯装置３０のネジ固定部３７は、本体１０の内部からネジ１８で奥板１１に固定されるが、ネジ固定部３７は器具取付作業空間７０の奥に存在しているので、ネジ１８のねじ込み作業が容易である。
この時点で、サイド面３５３と本体１０の内周面との間に、作業空間配置方向Ｘに、器具取付作業空間７０が形成される。
Ｓ６．本体１０のスリット１２３に、図３には図示していない器具取付金具１４を取り付ける。本体１０の内部のスリット１２３の周囲には器具取付作業空間７０が存在しているので、器具取付金具１４の取付作業が容易である。
Ｓ７．バッテリユニット４０を点灯装置３０に取り付ける。本体１０の内周面にあるバッテリ固定用金具１２１は、バッテリユニット４０の挿入に従いＶ字からＩ字状になり、バッテリユニット４０の通過後にＶ字に復帰する。こうして、バッテリユニット４０をバッテリ固定用金具１２１に引っ掛けて、バッテリユニット４０が抜け落ちないように固定する。
バッテリユニット４０の過放電防止のため電気接続しないようにする。あるいは、バッテリユニット４０を点灯装置３０に取り付けずに、別梱包としてもよい。
Ｓ８．ワイヤー１１４に光源ユニット２０を取り付ける。また、光源用ハーネス３３６の他端にある光源用コネクタ３３６１を光源ユニット２０に結線する。
Ｓ９．枠取付金具２５を光源取付孔１２４にはめ込んで、光源ユニット２０を本体１０に取り付ける。
【００４７】
次に、照明器具１００を天井に取り付ける現場の作業について説明する。
まず、本体１０から光源ユニット２０を外し、ワイヤー１１４から光源ユニット２０を外す。また、バッテリユニット４０が、本体１０の内部にある場合は、バッテリユニット４０を本体１０から外す。本体１０の内周面にあるバッテリ固定用金具１２１をＶ字からＩ字状になるように手で押すことにより、バッテリユニット４０を外すことができる。
次に、電源端子台５０に天井裏の電線を接続する。電線は、端子露出孔１１３から露出している端子本体５１の一面にある端子に挿入される。
次に、本体１０を天井の器具挿入孔に挿入し、器具取付作業空間７０に手を入れて器具取付金具１４を開口部１１０がある開口方向に移動させて、本体１０を天井に固定する。
次に、バッテリユニット４０を開口部１０１から一方の器具取付作業空間７０すなわちバッテリ取付空間７１の奥方向に挿入する。
次に、ワイヤー１１４に光源ユニット２０を取り付け、枠取付金具２５を光源取付孔１２４にはめ込んで、光源ユニット２０を本体１０に取り付ける。
【００４８】
＊＊＊照明器具１００の効果の説明＊＊＊
本実施の形態によれば、点灯装置３０は、本体１０の開口から奥方向の投影面からみて中央に配置されており、照明器具１００を天井などの造営材へ固定する際に必要となる作業空間が確保できる。言い換えれば、点灯装置３０の形状と配置とにより、器具取付作業空間７０が確保できる。
本実施の形態によれば、本体１０の内部に器具取付作業空間７０が存在するので、照明器具１００の取付作業性が向上し、照明器具１００を効率よく組み立てることができる。
【００４９】
本実施の形態によれば、照明器具１００を天井に取り付ける現場では、道具を使用しなくても照明器具１００の施工作業が可能である。
【００５０】
＊＊＊光源ユニット２０の構成の説明＊＊＊
図４〜図１３は、光源ユニット２０を説明する図である。
図５の分解斜視図に示すように、光源ユニット２０は、レンズ２１とソケット２４と光源２６と枠２９を有する。
レンズ２１は、光源２６から出射される光の配光を制御する不燃材のレンズである。
レンズ２１は、ソケット２４の発光面側に配置される。
レンズ２１は、図８に示すように、ソケット２４と接する面に３個の凹部２１１を有する。
レンズ２１は、周囲がリング状のパッキン２２で保護されている。
レンズ２１は、枠２９の表面から突出している。
レンズ２１は、枠２９とソケット２４とで挟まれることにより固定される。
【００５１】
ソケット２４は、表面中央に窪みを有し、裏面に平面を有する円盤形状をしている。
ソケット２４は、光源２６と電気的に接続するための電極を有し、ソケット２４に内蔵する接続端子により、光源２６に給電する。電線２４２は、ソケット２４の外周側面に沿って引き回され、コネクタ２４３に接続されている。
光源２６は、ソケット２４を介し電力が供給される。
ソケット２４は、図８に示すように、レンズ２１と接する面に３個の凸部２４１を有する。
ソケット２４は、ネジ２３により、光源取付部２７に固定される。
【００５２】
光源２６は、発光素子を有しており、ＣＯＢ（Ｃｈｉｐ・Ｏｎ・Ｂｏａｒｄ）形式のＬＥＤが好適である。
【００５３】
光源ユニット２０は、１対の枠取付金具２５と光源取付部２７と枠２９を有する。
枠取付金具２５は、Ｌ字状に曲げられた板バネであり、光源取付孔１２４に引っ掛けられることにより光源ユニット２０を本体１０に取り付ける。
光源取付部２７は、発光面側にソケット２４をネジ２３で固定し、ソケット２４を介して光源２６を取り付ける。光源ユニット２０は、枠取付金具２５の他端にある取付板部２５３が外側に広がるバネ力により、照明器具１００の開口部１０１に取り付けられる。
枠２９は、本体１０の開口部１０１を覆うリング状の化粧枠である。
枠２９は、光源取付部２７の発光面側に固定されている。
【００５４】
枠取付金具２５は、図１０に示すように、固定板部２５１と平板部２５２と取付板部２５３を有する。
固定板部２５１は、光源ユニット２０に固定され、先端に三個の歯２５４を有する三又部２５１１を有する。
平板部２５２は、固定板部２５１と取付板部２５３との間にあり、歯２５４が側板１２よりも外側に位置するように付勢されている。
取付板部２５３は、く字状に曲げられており、く字状部分が光源取付孔１２４に引っかかり、光源ユニット２０の自重により光源ユニット２０が外れないようになっている。
取付板部２５３は、先端に行くほど幅が細くなっている。すなわち、図１０に示すように、幅Ｗ１＞幅Ｗ２である。
三又部２５１１の三個の歯２５４の中央の歯は、歯２５４と逆方向に切起こされた切起こし２５５を有する。三又部２５１１の三個の歯２５４の両側の歯は、下方に凸の曲げ部２５６を有する。
【００５５】
光源取付部２７は、アルミニウムなどの金属の塊でできており、ヒートシンクの機能を有するため、熱伝導率の高い材料が好ましい。
光源取付部２７は、図５と図９に示すように、ソケット収納部２７１とコネクタ固定孔２７２とブリッジ挿入孔２７３とつまみ収納部２７４と薄肉部２７５と切欠き部２７６とバッテリケース収納部２７８を有する。
ソケット収納部２７１は、光源取付部２７の中央部分に形成され周囲より一段へこんでいる平坦部である。ソケット収納部２７１にソケット２４と電線２４２とが配置される。
コネクタ固定孔２７２は、光源取付部２７の縁部に形成された孔である。
コネクタ固定孔２７２は、電線２４２のコネクタ２４３を貫通させて固定する。
ブリッジ挿入孔２７３は、光源取付部２７の縁部に形成された薄肉部２７５にある矩形孔である。
つまみ収納部２７４は、バッテリユニット４０のつまみ４３を収納する貫通孔である。バッテリユニット４０は、開口方向に向かって突出したつまみ４３を有しており、つまみ収納部２７４は、つまみ４３を収納する。
バッテリケース収納部２７８は、バッテリユニット４０のバッテリケースの一部を収納するへこみ部である。
薄肉部２７５は、光源取付部２７の縁部に形成された部分であり、コネクタ固定孔２７２が形成されており、枠取付金具２５の固定板部２５１が取り付けられる部分である。
切欠き部２７６は、点検スイッチ６２が縦方向に通過するエリアである。切欠き部２７６は、充電モニタ６５をチェックするための視線通過領域にもなる。
【００５６】
枠２９は、枠取付金具２５の一端にある固定板部２５１により、光源取付部２７に固定される。
枠２９は、図９に示すように、突出部２９１とブリッジ加工部２９２とブリッジ２９３と点検孔２９４とレンズ孔２９５を有する。
レンズ孔２９５は、レンズ２１を露出させる円形孔である。
突出部２９１は、レンズ孔２９５の外周に沿って発光方向に突出した環状部であり、レンズ２１のつば部２１２にかぶせられたパッキン２２を覆うリング部である。
ブリッジ加工部２９２は、枠２９に平行な１本の切れ目を入れ、枠２９の一部を裏側に圧延変形させた部分である。
ブリッジ２９３は、図１１に示すように、枠２９の裏面から橋状に形成された矩形平板部である。ブリッジ２９３の両端は、枠２９と連続している。ブリッジ２９３の裏面と薄肉部２７５の表面との距離Ｉは、枠取付金具２５の板厚と同じ又はほぼ同じである。
【００５７】
点検孔２９４は、点検スイッチ６２と充電モニタ６５を枠２９の外部に露出させる孔である。
【００５８】
＊＊＊光源ユニット２０の構造と組立の説明＊＊＊
光源２６は、ソケット２４の表面中央の窪みに装着される。
ソケット２４は、光源２６をレンズ２１との間に挟み込む構造になっており、ソケット２４に内蔵する接続端子により、光源２６に給電する。
ソケット２４の給電端子に接続された電線２４２の先端にはコネクタ２４３が取り付けられている。コネクタ２４３は、光源取付部２７のコネクタ固定孔２７２に固定されることで、ソケット２４の給電端子に張力がかかることを防止する。
【００５９】
ソケット２４は、セラミックスまたは樹脂等の材料で構成される。
光源２６から発生する熱はソケット２４を介して光源取付部２７に伝導するため、ソケット２４の材料は、熱伝導率の高い材料が好ましい。
また、光源取付部２７とソケット２４の間には、接触熱抵抗を低減するための放熱シートやグリスなどを塗布してもよい。
【００６０】
ソケット２４の発光面側には、レンズ２１が配置される。
レンズ２１とソケット２４の位置を固定するために、ソケット２４とレンズ２１にはそれぞれ対向する位置に位置決め機構を設けている。
具体的には、図８に示すように、レンズ２１にはソケット２４と接する面に窪み形状の凹部２１１が設けられており、ソケット２４にはレンズ２１の窪みに対応する位置に突起形状の凸部２４１が設けられている。
図８おいては、レンズ２１の凹部２１１とソケット２４の凸部２４１は３か所設けているが、形状に応じて適宜数量を変更してもよい。レンズ２１に凸部を設け、ソケット２４に凹部を設けてもよい。
【００６１】
レンズ２１は、所望の配光に応じた形状となっており、本実施の形態では、枠２９より半球状又はドーム状のレンズ２１が突出する形状としている。レンズ２１の形状は配光に応じて適宜変更してよい。
また、レンズ２１は、枠２９から突出しなくてもよい。
また、レンズ２１は、不燃材のガラスで構成されるのが望ましいが、ポリカーボネート、アクリルなどの透明樹脂、シリコン等で形成されてもよい。
非常用照明器具として使用する場合は、器具外郭を不燃材とする必要があるため、ガラス以外の材料でレンズ２１を構成する場合は、ガラス製のカバーでレンズ２１の外郭を覆う必要がある。
【００６２】
本実施の形態におけるレンズ２１は、枠２９のレンズ孔２９５から半球状又はドーム状に突出した形状となっており、突出したレンズ面より光が出射される。その際、点検スイッチ６２が枠２９より突出していると、出射された光が点検スイッチ６２にあたり、所望の配光を得られない場合がある。
高さ２〜３ｍの低天井に取り付けられる非常用照明器具は、浅い角度（６０°）ぐらいに光度のピークがある配光となっているため、枠２９、引き棒形式の点検スイッチ６２により光が遮られてしまう可能性がある。
そこで、レンズ２１から出射される方向（角度）を考慮し、レンズ２１および点検スイッチ６２の配置を実施する必要がある。
本実施の形態では、レンズ２１を半球状又はドーム状に突出させて、出射された光が点検スイッチ６２に当たらないようにしている。
また、枠２９のレンズ孔２９５の周囲に凸形状の突出部２９１を設け、レンズ２１を発光方向に配置している。このように、レンズ２１と点検スイッチ６２との縦方向の位置をずらし、配光に影響がない位置関係としている。
【００６３】
レンズ２１は、半球状又はドーム状の形状となっており、さらに、レンズ２１の外周部につば部２１２が設けられている。つば部２１２にはリング状のパッキン２２が取り付けられ、他の部材と接触する場合、衝撃によりレンズ２１が破損することを防止することができる。パッキン２２は、例えばシリコンで構成される。
【００６４】
枠取付金具２５は、枠２９と光源取付部２７を固定する機能と、光源ユニット２０と本体１０を固定する機能を有している。
【００６５】
光源ユニット２０は、枠取付金具２５の取付板部２５３を用いて本体１０に固定される。
枠取付金具２５の取付板部２５３の形状は、本体１０の形状に合わせて先端に向かうにつれ幅が細くなる形状となっている。図１０のとおり、Ｗ１＞Ｗ２である。
本体１０と枠２９の固定は一定以上の保持力が必要である。そのため、枠取付金具２５の弾性を利用して保持する場合は一定の幅が必要となる。一方で、本体１０は筒形であり断面が円形であり、枠取付金具２５の断面形状が直線となっているので、取付板部２５３が一定以上の幅になると取付板部２５３の両端が本体１０の光源取付孔１２４と干渉する。
また、本体１０が円筒状の形状をしているため、枠取付金具２５の取付板部２５３の幅が太いと、その分だけ大きくバネをたわませて取り付けなければならない。
そこで、保持力を維持しながら、本体１０と干渉しないためには、枠取付金具２５の先端の取付板部２５３を本体１０の形状に合わせて先端に向かうにつれ幅を細くすることで、干渉しない状態でも保持力を確保することが可能となる。
【００６６】
光源取付部２７は、枠取付金具２５の固定板部２５１によって枠２９に固定される。
図１１に示すように、枠２９には枠取付金具２５を固定するためのブリッジ２９３が設けられており、光源取付部２７には枠２９に設けられたブリッジ２９３に対応する箇所にブリッジ挿入孔２７３が設けられている。
枠２９と光源取付部２７を固定する固定板部２５１は、三又の形状の三又部２５１１となっており、三又部２５１１に３個の歯が形成されている。三又部２５１１の両端の歯は、ブリッジ挿入孔２７３の両端サイドに存在する。三又部２５１１の両端の歯には、中央の歯よりも光源取付部２７のある側にＶ字に曲げられた曲げ部２５６がある。曲げ部２５６は、薄肉部２７５を枠２９に押し付けるので、枠２９と光源取付部２７を密着させる機能を有している。
図１２に示すように、三又部２５１１の中央の歯は、ブリッジ２９３の下に挿入される。三又部２５１１の中央の歯のブリッジ２９３への挿入完了時に、切起こし２５５がブリッジ挿入孔の外壁に引っかかり、枠取付金具２５が抜けなくなる。枠２９を光源取付部２７を固定した後、切起こし２５５は枠取付金具２５が外れることを防止する。
【００６７】
以上のように、枠取付金具２５は、枠２９と光源取付部２７を密着させる機能を有している。また、枠取付金具２５は、枠２９と光源取付部２７を密着させるので、レンズ２１を枠２９とソケット２４を密着させる機能を有している。
【００６８】
ここで、図５の分解斜視図を用いて、光源ユニット２０の組立方法について説明する。
ソケット２４をネジ２３で光源取付部２７のソケット収納部２７１に固定する。
次に、コネクタ２４３をコネクタ固定孔２７２に挿入して、コネクタ２４３を光源取付部２７に固定する。
【００６９】
次に、レンズ２１のつば部２１２にパッキン２２を被せる。
次に、レンズ２１の凹部２１１をソケット２４の凸部２４１に合わせ、レンズ２１をソケット２４に合わせる。
次に、枠２９をレンズ２１に乗せ、レンズ２１を枠２９とソケット２４との間に挟む。この時点で、レンズ２１は、ソケット２４に設けられた凹部２１１と凸部２４１との位置決め機構と、枠２９の突出部２９１とにより、水平方向の移動が規制された状態となっている。
枠２９と光源取付部２７とを合わせる際に、図１２に示すように、枠２９に設けられたブリッジ２９３に光源取付部２７の薄肉部２７５に設けられたブリッジ挿入孔２７３を合わせる。この状態で枠２９のブリッジ２９３は光源取付部２７の薄肉部２７５の厚みよりも高さＩだけ高い状態となり、側面から見た状態で枠取付金具２５の三又部２５１１の中央の歯が挿入できる状態となる。
【００７０】
図１２の（ｂ）の矢印に示すように、枠２９の半径方向外側より中心軸Ｏに向け、枠取付金具２５を挿入し、中央の歯の切起こし２５５がブリッジ挿入孔２７３の中に入った状態で枠取付金具２５が枠２９に固定される。
枠取付金具２５は中央の歯に切起こし２５５があり、挿入完了時に切起こし２５５がブリッジ挿入孔２７３の外壁に引っかかるので、半径方向外側に力が加わった場合でも枠取付金具２５が外れることを防止できる。
このように、光源取付部２７と枠２９とは、枠取付金具２５のみで固定され、ネジや接着剤を用いない。
以上で、光源ユニット２０が完成する。
【００７１】
光源ユニット２０の放熱について説明する。
光源２６はソケット２４の表面に固定され、ソケット２４の裏面は、光源取付部２７のソケット収納部２７１に面接触して固定されているので、光源２６の熱は、ソケット２４に伝わり、光源取付部２７に伝わる。
光源取付部２７は、枠取付金具２５を用いて枠２９に固定されており、枠２９と光源取付部２７とは密着するので、枠２９と光源取付部２７は熱的に結合される。光源取付部２７は、光源２６を中心として３６０度方向において枠２９の裏面に面接触しており、枠２９と光源取付部２７とが熱的に接続されている。
【００７２】
一方、光源ユニット２０は、図２のＢ−Ｂ断面図に示すように、点灯装置３０とバッテリユニット４０とに対して熱遮断空間７２を介して配置されている。光源取付部２７と点灯装置３０との間に熱遮断空間７２が存在しているので、光源ユニット２０と点灯装置３０とは熱的に分離されている。また、光源取付部２７とバッテリユニット４０との間に熱遮断空間７２が存在しているので、光源ユニット２０とバッテリユニット４０とは熱的に分離されている。
【００７３】
また、図１３に示すように、光源取付部２７の裏面は、鍔１３に対して空間Ｓ１を介して配置されている。光源取付部２７は、本体１０の内周面に沿った外周面２７７を有する。
光源取付部２７の外周面２７７は、本体１０の内周面に対して空間Ｓ２を介して配置されている。このように、光源取付部２７と本体１０との間に空間Ｓ１と空間Ｓ２が存在しているので、光源ユニット２０と本体１０とは熱的に分離されている。
こうして、外気への放熱の大半は枠２９から行われる。
【００７４】
＊＊＊光源ユニット２０の効果の説明＊＊＊
本実施の形態によれば、枠２９と光源取付部２７とソケット２４と光源２６とが熱的に接続されているので、光源２６より発生する熱は光源取付部２７および枠２９を介して放熱され、光源２６の熱を枠２９から大気に効率よく放熱することができる。
【００７５】
本実施の形態によれば、光源取付部２７と熱的に接続された枠２９を備え、光源２６から発生する熱を枠２９を介して放熱することができるので、光源の寿命が長くなる。
本実施の形態によれば、光源ユニット２０が、本体１０の内部部品である点灯装置３０、バッテリユニット４０と熱的分離されているので、器具内のレイアウトの自由度が向上し、器具の小型化を実現することが可能となる。
【００７６】
本実施の形態によれば、ソケット２４を使用することで、光源２６が光源取付部２７と枠２９とから電気的に絶縁される。
【００７７】
本実施の形態によれば、枠取付金具２５で枠２９と光源取付部２７とを固定することにより、ネジ等の部品点数の削減、組立性の向上が図れる。
また、枠取付金具２５の横方向へのスライドにより枠２９と光源取付部２７とを取り付けているので、枠２９が垂直の方向へ落下する恐れがない。
【００７８】
本実施の形態によれば、枠取付金具２５の取付板部２５３を先細りにすることで本体１０の曲面に沿うこととなり、たわみ量が少なくすることででき、施工性が向上するとともに、バネのへたりを防止することができる。
【００７９】
本実施の形態によれば、不燃材を使用することで、照明器具１００を非常用照明器具に使用できる。
【００８０】
本実施の形態によれば、枠２９に対しレンズ２１を張り出させることで、光が遮られずに床面を照射できる。
【００８１】
本実施の形態によれば、枠取付金具２５のスライドだけでレンズ２１を挟んで光源取付部２７と枠２９を固定するだけなので、組立性が向上する。
また、レンズのみを固定する固定機構は存在していないことにより、部品点数を削減できる。
【００８２】
本実施の形態によれば、レンズ２１の位置ずれがないので、配光が正確である。
【００８３】
＊＊＊点灯装置３０の構成の説明＊＊＊
図１４は、本実施の形態の点灯装置３０の分解斜視図である。
点灯装置３０は、箱状の装置ケース３５を有する。
装置ケース３５の内部には、基板ユニット３３が収納されている。
【００８４】
装置ケース３５は、バッテリユニット４０との嵌め合い構造として、バッテリユニット４０を取り付けるバッテリ取付部３６を有する。バッテリ取付部３６は、バッテリ側ケース３１のサイド面に設けられたガイド機構である。バッテリ取付部３６については、後述する。
【００８５】
装置ケース３５は、光源２６の点灯を点検する点検ユニット６０を装着する点検ユニット装着部３５１を有する。３５１は、点検スイッチ側ケース３２の角に形成された窪みである。
点検ユニット６０は、装置ケース３５の外面に装着される。
【００８６】
装置ケース３５は、バッテリ側ケース３１と点検スイッチ側ケース３２を有する。
バッテリ側ケース３１と点検スイッチ側ケース３２とは、それぞれ一面が開口し中央部分が窪んだ蓋状又はシェル状の形状をしているケースである。
バッテリ側ケース３１は、開口縁にケース爪穴３１１を有する。
点検スイッチ側ケース３２は、開口縁にケース爪３２１を有する。
バッテリ側ケース３１と点検スイッチ側ケース３２とは、開口形状が同じであり、ケース爪穴３１１にケース爪３２１が嵌めあわされて箱状の装置ケース３５となる。
バッテリ側ケース３１は、底面３１９を有し、底面３１９を細くスリット状に切欠いたハーネス用スリット３１３を有する。
底面３１９と対抗するコネクタ面３１２１は、コネクタを固定するコネクタ固定孔３１２を有する。底面３１９とコネクタ面３１２１とは平行であり対向する１対の対向面である。
ハーネス用スリット３１３は、コネクタ固定孔３１２に固定されるコネクタのハーネスを差し込む溝である。
【００８７】
点検スイッチ側ケース３２は、底面３１９の中央に、電源端子台５０を収納する収納空間７３がある。
点検スイッチ側ケース３２は、外周部に横方向に突出したネジボス３２５を有する。
ネジボス３２５は、本体１０の横止め片１２２にネジ止めされる。
点検スイッチ側ケース３２は、ハーネスを通す開口部３２２がある。
点検スイッチ側ケース３２は、コーナーを内側にへこませた点検ユニット装着部３５１を有する。
点検ユニット装着部３５１の周囲には、横方向に挿入可能な横爪穴３２３が複数ある。
点検ユニット装着部３５１には、横方向に土手状に形成された突出爪３２４がある。
突出爪３２４は、点検ユニット６０に向かって突出しており、点検ユニット６０が、縦方向に移動するのを抑制する。
【００８８】
図１５は、本実施の形態の基板ユニット３３の分解斜視図である。
基板ユニット３３は、部品搭載面と半田面とを有する２枚の回路基板と、２枚の回路基板を両側に保持した基板ホルダ３３３を有する。
基板ホルダ３３３は、爪３３３１とホルダ凹部３３３２と絶縁壁３３３４とサイド壁３３３５を有する。
爪３３３１は、絶縁壁３３３４の四つの角に横方向に向かって形成された爪である。
ホルダ凹部３３３２は、基板ホルダ３３３をコ字状に形成する凹部である。
サイド壁３３３５は、絶縁壁３３３４の周囲とホルダ凹部３３３２の周囲に形成された立壁である。
基板ホルダ３３３は、絶縁壁３３３４を間にはさんで２枚の回路基板の半田面を対向させて配置し、２枚の回路基板を爪３３３１で保持する。
２枚の回路基板は、絶縁壁３３３４のサイド壁３３３５とホルダ凹部３３３２のサイド壁３３３５とで位置決めされる。
【００８９】
２枚の回路基板は、商用電源の停電時に光源２６を点灯させる機能を有する点灯回路基板３３１と、バッテリユニット４０を充電する機能を有する充電回路基板３３２である。
点灯回路基板３３１は、部品搭載面３３１３と半田面３３１４とを有する。
充電回路基板３３２は、部品搭載面３３２３と半田面３３２４とを有する。
基板ホルダ３３３と２枚の回路基板の外郭形状は、矩形であり、長辺ＬＫと短辺ＳＫを有する。
基板ホルダ３３３と２枚の回路基板の長辺ＬＫは、点灯装置３０の長辺Ｌとほぼ同じであり、基板ホルダ３３３と２枚の回路基板の短辺ＳＫは、点灯装置３０の高さＨとほぼ同じであり、基板ホルダ３３３と２枚の回路基板の外郭形状は、点灯装置３０の開口している縁部の内周形状と同じである。
点灯回路基板３３１は、基板凹部３３１２を有し、充電回路基板３３２は、基板凹部３３２２を有し、２枚の回路基板の基板は同一形状である。
基板ホルダ３３３は、ホルダ凹部３３３２を有している。
基板凹部とホルダ凹部は同じ場所にありに、装置ケース３５は、基板凹部とホルダ凹部のある場所に電源端子台５０を収納する端子台収納部３５２を形成している。
【００９０】
点灯装置３０は、２枚の回路基板を接続する基板接続用ハーネス３３４と、充電回路基板３３２とバッテリユニット４０を接続するバッテリ用ハーネス３３５と、点検基板６４と点灯回路基板３３１を接続する点検スイッチ用ハーネス３３７を有する。
点灯装置３０は、点灯回路基板３３１と光源ユニット２０を接続する光源用ハーネス３３６を接続するための光源用コネクタ３３６１を有する。
【００９１】
＊＊＊点灯装置３０の構造と組立の説明＊＊＊
点灯装置３０の配置・構造について説明する。
点灯装置３０は、本体１０の中央にレイアウトされる。
本体１０が天井に取り付けられる際、器具取付金具１４をスライドして取り付ける必要があるが、スライドさせるための作業スペースを確保する必要がある。
点灯装置３０の長辺Ｌは、点灯装置長手方向Ｙと平行に配置される。
点灯装置３０の短辺Ｓは、作業空間配置方向Ｘと平行に配置される。
２枚の回路基板の長辺ＬＫは、点灯装置３０の長辺Ｌと同一方向に配置され、２枚の回路基板は、点灯装置長手方向Ｙと平行に配置される。
２枚の回路基板の短辺ＳＫは、点灯装置３０の高さＨと同一方向に配置される。
基板ホルダ３３３と２枚の回路基板は、全体として薄型の立方体形状であり、両側に回路部品が突出するようになっている。こうして点灯装置３０も薄型の立方体形状に形成することができ、点灯装置３０の両側に器具取付作業空間７０が形成できる。
器具取付金具１４は２か所対称に１８０度方向に配置されるため、器具取付金具１４と対向するサイド面３５３と本体１０の内面との間に器具取付作業空間７０を設けている。
【００９２】
点灯装置３０には、電源端子台５０を収納するスペースを、端子台収納部３５２として設けている。
点灯装置３０の電源端子台５０を収納する端子台収納部３５２は点灯装置３０の天面側中央に設けられ収納空間７３である。
点灯装置３０の点灯回路基板３３１と充電回路基板３３２は、電源端子台５０が設置される端子台収納部３５２に合わせて切り欠かれた基板凹部３３１２と基板凹部３３２２を有する。基板ホルダ３３３は電源端子台５０が設置される端子台収納部３５２に合わせて切り欠かれたホルダ凹部３３３２を有する。
【００９３】
点灯装置３０の外郭は合成樹脂を採用することで、金属で構成されている器具本体１０などとの絶縁性能を確保することができる。合成樹脂としては、ＰＣ（ｐｏｌｙｃａｒｂｏｎａｔｅ）、ＰＰ（ｐｏｌｙｐｒｏｐｙｌｅｎｅ）、ＰＢＴ（ｐｏｌｙｂｕｔｙｌｅｎｅ・ｔｅｒｅｐｈｔｈａｌａｔｅ）などが好適である。
【００９４】
点灯装置３０は、図１５のように、電源端子台５０からの外部電源の電力をバッテリユニット４０へ供給する充電回路を有した充電回路基板３３２と、蓄電池よりの放電電流を光源２６へ供給する点灯回路を有する点灯回路基板３３１を内部に有しており、充電回路と点灯回路は電気的接続がされている。
このように、点灯装置３０の回路基板を、２枚の回路基板に分割配置することで、点灯装置３０の高さＨを抑えることが可能となる。
これに限らず必要部品が実装できるなどの場合は分割せずに１枚の回路基板にすることもできる。
【００９５】
分割された充電回路基板３３２と点灯回路基板３３１は基板ホルダ３３３で互いに係合されている。
はんだ面側同士を向い合せる状態で係合することにより、回路基板間の距離を縮められるため、点灯装置３０の短辺Ｓの長さを抑えつつも、点灯装置３０のケース内部に回路基板部品の作業空間配置方向Ｘの実装高さを確保することができる。
【００９６】
基板ホルダ３３３の材料として、合成樹脂を採用することで、充電回路基板３３２と点灯回路基板３３１の間の絶縁性能を確保することができ、回路基板間の距離を縮めることが可能となる。
【００９７】
充電回路基板３３２と点灯回路基板３３１は、基板接続用ハーネス３３４により電気的に接続されており、その基板接続用ハーネス３３４は、基板ホルダ３３３のハーネス固定部３３３３によって係止または収納することが可能である。ハーネス固定部３３３３は、電線もしくはハーネスをまとめて留める構造を有する。
【００９８】
点灯装置３０の組立方法について説明する。
まず、基板ホルダ３３３に点灯回路基板３３１と充電回路基板３３２を取り付ける。
取付は、基板ホルダ３３３に設けられている爪３３３１にそれぞれの基板を嵌めることで固定される。
点灯回路基板３３１と充電回路基板３３２の取付は、手ででき、道具は必要ない。ネジも接着剤も使わない。
回路基板の左右方向への固定は、基板上部中央の基板凹部３３１２、基板凹部３３２２の凹み形状と基板ホルダ３３３のホルダ凹部３３３２により形成された凸部形状が嵌め合わさることで固定される。
基板ホルダ３３３に、２枚の回路基板を取り付けた後、基板接続用ハーネス３３４をそれぞれの基板に接続する。
基板接続用ハーネス３３４は、装置ケース３５の内部で暴れない様、基板ホルダ３３３の上部に設けられたハーネス固定部３３３３に挿入され、位置が固定される。
【００９９】
次に、充電回路基板３３２にバッテリ用ハーネス３３５を取り付けた後、バッテリ用ハーネス３３５のバッテリ側コネクタ３３５１をバッテリ側ケース３１に取り付ける。
バッテリ側ケース３１に十分な作業スペースが確保できない場合、バッテリ側ケース３１の奥方向にある天面側にハーネス用スリット３１３を設けておく。バッテリ用ハーネス３３５の電線部分をハーネス用スリット３１３に差し込み、ハーネス用スリット３１３からバッテリ側ケース３１の外までバッテリ用ハーネス３３５を直線状に出すことにより、バッテリ側コネクタ３３５１を、図１４の矢印の方向に、コネクタ固定孔３１２に向かって、まっすぐ突き刺すことができ、バッテリ側コネクタ３３５１をコネクタ固定孔３１２に容易に固定することが可能となる。
【０１００】
もし、ハーネス用スリット３１３が無い場合は、バッテリ側ケース３１の窪んだ狭いスペースの中でバッテリ側コネクタ３３５１をコネクタ固定孔３１２に斜め方向から固定する必要がある。また、バッテリ用ハーネス３３５の電線部分がバッテリ側ケース３１の縁部分に引っかけたまま、バッテリ用ハーネス３３５をバッテリ側ケース３１の窪んだ狭いスペースの中で屈曲させた状態で作業を実施することとなってしまう。
【０１０１】
バッテリ用ハーネス３３５をハーネス用スリット３１３に通したままバッテリ側コネクタ３３５１をコネクタ固定孔３１２に固定後、バッテリ用ハーネス３３５をハーネス用スリット３１３からはずし、バッテリ用ハーネス３３５をバッテリ側ケース３１の窪んだ狭いスペースの中に収納するとともにバッテリ用ハーネス３３５の他端を充電回路基板３３２に接続する。
【０１０２】
次に、２枚の回路基板が固定された基板ホルダ３３３をバッテリ側ケース３１に組み付ける。この時、バッテリ側ケース３１に充電回路基板３３２が収納された状態となる。
次に、点灯回路基板３３１に設けられた点検スイッチ用コネクタ６６に点検スイッチ用ハーネス３３７を取り付ける。点検スイッチ用ハーネス３３７が接続された状態で、点検スイッチ側ケース３２をバッテリ側ケース３１に取り付ける。その際、点検スイッチ用ハーネス３３７の点検スイッチ側コネクタ３３７１は、点検スイッチ側ケース３２に設けられた開口部３２２より外に出しておく。
【０１０３】
＊＊＊点灯装置３０の効果の説明＊＊＊
本実施の形態によれば、筒状の本体１０と、本体１０に内蔵される外郭が樹脂で構成された点灯装置３０を備えるので、点灯装置３０を熱的に分離することができる。よって、点灯装置３０に光源２６から発生する熱の影響を与えることなく、回路基板の寿命が長くなる。
【０１０４】
本実施の形態によれば、円筒形の本体１０の中央に点灯装置３０を配設することで、回路基板の部品実装面積を大きくとることが可能となり、さらに器具内のレイアウトの自由度が向上し、器具の小型化を実現することが可能となる。
【０１０５】
本実施の形態によれば、点灯装置３０は直方体形状をしており、電源端子台５０は立方体形状をしているので、電源端子台５０の配置された横の点灯装置長手方向Ｙの空間にも、回路基板を配置でき、回路基板上に実装される部品を増やすことが可能となる。よって、点灯装置３０の小型化が可能となる。
【０１０６】
＊＊＊バッテリユニット４０の構成の説明＊＊＊
バッテリユニット４０は、停電時などに非常用電源となる。
バッテリユニット４０は、本体１０の内部に配置され、点灯装置３０の長辺Ｌを有するサイド面３５３と本体１０の内周面との間に配置されている。バッテリユニット４０は、点灯装置３０のサイドに縦方向からスライドして配置される。
【０１０７】
バッテリユニット４０は、電池４１とバッテリケース４２とつまみ４３を有する。
電池４１は、充電可能な充電池である。
バッテリケース４２は、電池４１を収納したケースである。
つまみ４３は、バッテリケース４２の着脱のために使用する取っ手である。
つまみ４３を除いたバッテリユニット４０の高さは、点灯装置３０の高さと同じである。あるいは、ほぼ、同じ高さにすることが望ましい。
【０１０８】
バッテリケース４２は、電線収納部４２１と電池収納部４２２を有する。
電線収納部４２１は、ダクト形状をしており電線を配置している。
電池収納部４２２は、筒状をしており電池４１を配置している。
【０１０９】
バッテリユニット４０は、バッテリコネクタ４５を有する。
バッテリコネクタ４５は、バッテリ側コネクタ３３５１に差し込まれ、点灯装置３０と電気的に接続される。バッテリユニット４０はＡＡセル（単三サイズ）を５本使用する構成となっている。
【０１１０】
バッテリユニット４０は、点灯装置３０との嵌め合い構造Ｍを有する。
嵌め合い構造Ｍは、１対のレール状のガイドリブ４６とを有する。ガイドリブ４６は、端部に曲面を呈しているリブテーパ部４６１を有する。
嵌め合い構造Ｍは、１対のガイドリブ４６の間に、点灯装置３０側に張り出した張出部４７を有する。
嵌め合い構造Ｍは、張出部４７のサイドにバッテリコネクタ４５を有する。
【０１１１】
図１７と図１８を用いて、点灯装置３０のバッテリ取付部３６について説明する。
点灯装置３０は、ガイドリブ４６をスライドさせる１対の装着ガイド３１４を有する。
装着ガイド３１４は、本体１０の奥行き方向に向かって次第に狭くなっているガイド溝３１７を形成している。
装着ガイド３１４の外面は、円弧形状をしており、本体１０の内周面に接している。
点灯装置３０は、装着ガイド３１４よりも奥行き方向に、ガイドリブ４６の直進を補助する補助ガイド３１５を有する。
点灯装置３０は、装着ガイド３１４よりも奥行き方向に、バッテリユニット４０が左右斜めに傾くことを制限するスライド壁３１６を有する。
点灯装置３０は、点灯装置３０の縦方向の高さＨよりも低い位置に設けられたコネクタ設置面３１８を有する。コネクタ設置面３１８は、バッテリユニット４０から電力の供給を受けるバッテリ側コネクタ３３５１を配置している。
【０１１２】
バッテリユニット４０は、点灯装置３０の側方に沿うように配置され、器具取付金具１４に干渉しない形状とする。図１６に示すように、バッテリユニット４０は、器具取付金具１４を避けるため、スリット１２３と対向する外周面に縦方向に溝状に形成された縦凹部４４を有する。
【０１１３】
＊＊＊バッテリユニット４０の構造と組立の説明＊＊＊
【０１１４】
点灯装置３０には、バッテリユニット４０が接続される。
バッテリユニット４０は、非常時に光源２６を点灯させるためのものである。
バッテリユニット４０は、商用電源からの電力供給時には点灯装置３０から充電され、商用電源が停電した場合には点灯装置３０に電力を供給する。
バッテリユニット４０の充電方式はバッテリユニット４０の自己放電を補い、常に満充電状態とするために、トリクル充電が望ましい。
【０１１５】
点灯装置３０のバッテリ取付部３６は、サイド面３５３から器具取付作業空間７０に向かってに設けられる。こうして、１対の器具取付作業空間７０の片方にバッテリ取付空間７１が形成される。バッテリ取付空間７１は、点灯装置３０の充電回路基板３３２のある側に設けられ、点検ユニット６０と反対側に配置される。
【０１１６】
バッテリユニット４０は、本体１０を天井に固定した後に本体１０の内部に挿入され、点灯装置３０に接続、固定される。この時、点灯装置３０とバッテリユニット４０は、点灯装置３０に固定されているバッテリ側コネクタ３３５１とバッテリユニット４０のバッテリコネクタ４５の嵌め合いと、本体１０に設置されたバッテリ固定用金具１２１へのはめ込みとで、バッテリ取付部３６に固定される。
【０１１７】
バッテリユニット４０は、本体１０を天井に固定した後に接続されるので、器具取付金具１４を操作するスペースとして確保された器具取付作業空間７０と縦方向の投影面上でオーバラップする位置に、バッテリユニット４０を配置することができる。
【０１１８】
また、点灯装置３０の充電回路基板３３２は、バッテリユニット４０の挿入位置を考慮して部品配置を実施することが望ましい。すなわち、充電回路基板３３２の背の高い回路部品はバッテリユニット４０の配置を避けてレイアウトすることが望ましい。
図１７に示すように、バッテリ側ケース３１のサイド面３５３には、サイド面３５３からへこんでいるへこみ空間７４があり、張出部４７が嵌りこむ構造になっている。へこみ空間７４は、サイド面３５３の中央部分にある。
このように、バッテリユニット４０の挿入位置が充電回路基板３３２の中央部分である場合、充電回路基板３３２の背の高い回路部品は、充電回路基板３３２の中央部分に配置せず両サイドに配置するのがよい。
【０１１９】
バッテリユニット４０の嵌め合い構造Ｍと点灯装置３０のバッテリ取付部３６との嵌め合いについて説明する。
図１７に示すように、バッテリユニット４０は、点灯装置３０のバッテリ取付部３６に奥方向に向けてスライドしながら挿入される。
バッテリユニット４０には、スライド用のガイドリブ４６が設けられており、そのガイドリブ４６に対応する位置の点灯装置３０には、装着ガイド３１４が設けられている。
【０１２０】
点灯装置３０は、本体１０の中に設置されるが、本体１０の内周面と点灯装置３０の装置ケース３５の外周面にはクリアランスが設けられている。点灯装置３０のバッテリ用のガイドと本体１０の間に空間があった場合、バッテリユニット４０のガイドリブ４６が所定の位置に挿入されない場合がある。すなわち、点灯装置３０の装着ガイド３１４と本体１０の間の空間にガイドリブ４６がはまりこむ可能性がある。そこで、点灯装置３０の装着ガイド３１４の形状を、電池挿入側が広くなったラッパ状の形状として、バッテリユニット４０のガイドリブ４６を誘い込む形状とすることで、意図しない位置に電池が挿入されることを防止することができる。
また、リブテーパ部４６１があるので、ガイドリブ４６が、装着ガイド３１４に滑らかに挿入できる。
装着ガイド３１４は、挿入方向にいくにつれ狭くなっており、バッテリユニット４０が挿入されるに従ってがたつきを抑えるとともに、バッテリユニット４０が完全に挿入された時にがたつきをなくすようになっている。
【０１２１】
本実施の形態の点灯装置３０の装着ガイド３１４は、左右に１個ずつあり、右の装着ガイド３１４と左の装着ガイド３１４とは、縦方向すなわち重力方向の配置位置がずれている。これは、コネクタ設置面３１８の高さ方向の位置を点灯装置３０の高さＨよりも低くして、バッテリコネクタ４５を点灯装置３０に固定するためのスペースを確保するためである。左右の装着ガイド３１４の位置が縦方向でずれる場合、バッテリユニット４０の挿入中にバッテリユニット４０が左右に傾いて入る場合が発生する。そこで、ラッパ形状の装着ガイド３１４以外の箇所に縦方向のガイド壁となるスライド壁３１６を設けることでバッテリユニット４０を左右均等に所定の位置にまっすぐ挿入することが可能となる。
バッテリコネクタ４５とバッテリ側コネクタ３３５１とは、バッテリユニット４０がまっすぐ挿入されることで自動的に接続される。
【０１２２】
バッテリケース４２の外周面の一部又は全部は、本体１０の内周面に接する。バッテリユニット４０を挿入する際に、バッテリケース４２の外周面を本体１０の内周面に接するように挿入することにより、バッテリユニット４０の挿入が容易になる。
【０１２３】
バッテリユニット４０は寿命があり、一般的には４年〜６年の間で交換することが望ましい。そのため、バッテリユニット４０は器具設置後に取り外す必要がある。
バッテリユニット４０は、バッテリユニット４０を奥方向に押しながらバッテリ固定用金具１２１を本体１０の内周面に押し付けてバッテリ固定用金具１２１による固定を外すことにより、取り外すことができる。バッテリユニット４０は、バッテリ固定用金具１２１により引っ掛けられているので、バッテリ固定用金具１２１の引っ掛けを外せば、道具なしで、バッテリユニット４０を取り外すことができる。
バッテリユニット４０の取り外しの際に、取り出しやすくするために、バッテリユニット４０の下面にはつまみ４３が設けられている。つまみ４３には操作性を向上するために、すべり止め用のリブ、溝、穴等を設けることがのぞましい。
バッテリユニット４０のバッテリケース４２をつかみやすい構造とする場合、つまみ４３はなくてもよい。
【０１２４】
バッテリユニット４０に設けられたつまみ４３と電線収納部４２１は、枠２９に取り付けられた光源取付部２７と干渉位置となるため、つまみ４３と電線収納部４２１を避ける必要がある。
照明器具１００の全高を低くするためには、光源取付部２７のつまみ４３と電線収納部４２１とに対応する位置に穴や窪みやへこみなどの逃げを設けることが望ましい。
光源取付部２７のつまみ収納部２７４は、バッテリユニット４０のつまみ４３に対応して設けられた穴又は窪みであり、照明器具１００の小型化を実現している。
光源取付部２７のバッテリケース収納部２７８は、バッテリユニット４０の電線収納部４２１に対応して設けられた窪み又はへこみであり、照明器具１００の小型化を実現している。
【０１２５】
＊＊＊バッテリユニット４０の効果の説明＊＊＊
本実施の形態によれば、バッテリ取付部３６と嵌め合い構造Ｍとにより、バッテリユニット４０を効率よくかつ正確に装着することができる。
【０１２６】
本実施の形態によれば、本体１０と点灯装置３０の間に設けられた器具取付作業空間７０にバッテリユニット４０を配置することが可能となり、取付の際に必要となる作業スペースとバッテリユニット４０の配置スペースを共用することが可能となったことで、照明器具１００の小型化が実現できる。
【０１２７】
＊＊＊電源端子台５０の構成の説明＊＊＊
電源端子台５０は、商用電源からの電力を点灯装置３０に供給するための接続器である。
電源端子台５０は、立方体形状をしている。
電源端子台５０には、例えばＶＶＦケーブルが接続される。
端子本体５１の一面は、本体１０の奥板１１の端子露出孔１１３から外部に露出しており、この端子露出孔１１３から端子本体５１にケーブルが接続される。
電源端子台５０には、点灯装置３０への出力用端子が設けられており、この出力用端子と点灯装置３０の点灯回路基板３３１に設けられた入力用コネクタを配線で結線することで電力が供給される。
【０１２８】
電源端子台５０の端子本体５１は、アース端子を有しており、端子取付板５２により奥板１１に固定される。
アース端子の接触片は、金属製の端子取付板５２に電気的接続がなされる。
端子取付板５２を本体１０の金属製の奥板１１に接触させて本体１０の内部に金属製のネジ１９でネジ止めすることで、器具の接地導通が確保される。
【０１２９】
照明器具１００の高さを小さくする場合には、点灯装置３０の端子台収納部３５２に電源端子台５０を全て収納し、電源端子台５０の奥方向の面が点灯装置３０の奥方向の面に整列するように、電源端子台５０を配置する。端子本体５１を本体１０の奥板１１の内面に接触させることで、器具高さの抑制と接地導通の確保を得ることができる。
電源端子台５０の１面は、奥板１１から外部に露出しているが、残り５面は、ハーネスを通す穴部分を除き、点灯装置３０の装置ケース３５の樹脂面でカバーされている。
【０１３０】
＊＊＊電源端子台５０の効果の説明＊＊＊
本実施の形態によれば、電源端子台５０は本体１０の奥方向中央に配置され、点灯装置３０の中央に配置されるので、本体１０の内部の両サイドに器具取付作業空間７０を確保でき、照明器具１００の施工性向上につながる。
【０１３１】
＊＊＊点検ユニット６０の構成の説明＊＊＊
点検ユニット６０は、照明器具１００に内蔵され、照明器具１００の点検に用いられる。
照明器具１００が非常用照明器具の場合、点灯装置３０には常用点灯と非常点灯を切替える回路が含まれ、点検を目的として切替動作を外部から行うために点検ユニット６０が設けられる。
点検ユニット６０は、装置ケース３５のコーナー外面に対して外付けされ、横方向にはめ込まれて装着される。
【０１３２】
点検ユニット６０は、図１４に示すように、ユニット筐体６１と点検スイッチ６２とコイルバネ６３と点検基板６４を有する。
ユニット筐体６１は、点検スイッチ６２と点検基板６４を取り付けた樹脂カバーである。ユニット筐体６１は、サイド面３５３と同じ平面に配置される平面部６１４と、外周面３５４と同じ半径を有する筒状弧部６１５を有する。平面部６１４と筒状弧部６１５は、ほぼ直交している。
点検スイッチ６２は、照明器具の外部から人により縦方向に操作されるスイッチである。図では、引き棒形式のスイッチを示している。
点検スイッチ６２は縦方向において点検孔２９４と切欠き部２７６とが存在する位置にレイアウトされる。
コイルバネ６３は、点検スイッチ６２を常時奥方向に引き込んでおくためのバネである。
点検基板６４は、点検スイッチ６２の操作に基づいて、照明器具１００を点検する回路基板である。
点検基板６４は、点灯回路基板３３１と充電回路基板３３２と平行に配置される。
点検基板６４は、バッテリユニット４０の電力で光源２６が点灯するか点検する。
点検基板６４は、バッテリの充電状態を確認するための充電モニタ６５を有する。
ユニット筐体６１は、固定機構６１１を有する。
固定機構６１１は、点検スイッチ６２と点検基板６４とを、照明器具１００の内部部品又は照明器具の内面に固定する機構である。
固定機構６１１としては、横方向に突出して形成され横方向にはめ込む横爪６１２と横爪６１３が好適である。
横爪６１２は、ユニット筐体６１の平面部６１４の端部からサイド面３５３に向かって横方向に突出して形成された爪である。
横爪６１３は、ユニット筐体６１の筒状弧部６１５の端部から外周面３５４に向かって横方向に突出して形成された爪である。
横爪６１２と横爪６１３とは、横方向において直交する方向に形成された爪である。
ユニット筐体６１は、横爪６１２と横爪６１３により、道具をもちることなく、点灯装置３０の外面に固定される。
ユニット筐体６１は、サイド面３５３と同じ平面から突出することがない。また、外周面３５４と同じ半径を有する円弧面から突出することがない。
【０１３３】
固定機構６１１は、ユニット筐体６１の縦方向の移動を制限する縦移動制限機構６７を有する。
縦移動制限機構６７は、ユニット筐体６１が縦方向に外れることを防止する。
縦移動制限機構６７としては、ユニット筐体６１の内面から内側に突出した突出爪６７１を用いることが好適である。突出爪６７１は、点検ユニット装着部３５１の外面から外側に突出した突出爪３２４にひっかかり、ユニット筐体６１が縦方向に外れることを防止する。
【０１３４】
点検ユニット装着部３５１は、装置ケース３５の角をへこませて形成されており、ユニット筐体６１は、点検ユニット装着部３５１のへこみを覆うカバー形状をしており、装置ケース３５とユニット筐体６１とで立方体形状を呈している。
【０１３５】
＊＊＊点検ユニット６０の構造と組立の説明＊＊＊
点検ユニット６０の組立方法について説明する。
まず、点検スイッチ６２の胴部にコイルバネ６３をセットし、ユニット筐体６１に嵌める。
点検スイッチ６２とユニット筐体６１にはそれぞれコイルバネを固定するボスおよび立ち壁が設けられており、点検スイッチ６２が常に器具設置状態で奥方向に押し上げられた状態に位置する様になっている。
【０１３６】
次に、ユニット筐体６１に設けられた基板用爪に点検基板６４をはめ込む。この状態で、点灯装置３０の装置ケース３５から出されている点検スイッチ用ハーネス３３７の点検スイッチ側コネクタ３３７１を点検基板６４の点検スイッチ用コネクタ６６に取り付ける。
その後、ユニット筐体６１を点検スイッチ側ケース３２に設けられた点検ユニット装着部３５１に取り付ける。ユニット筐体６１を点検ユニット装着部３５１に取り付ける際、ユニット筐体６１に設けられた横爪６１２を点検スイッチ側ケース３２のサイド面３５３に設けられた横爪穴３２３に挿入し、横爪６１３を点検スイッチ側ケース３２の外周面３５４に設けられた横爪穴３２３に挿入する。
挿入する際の方向は、点検スイッチ６２を動作させる縦方向と直交した横方向としている。これは点検スイッチ６２を操作した際にユニット筐体６１が点検スイッチ側ケース３２から外れることを防止するためである。
【０１３７】
一方で、横方向の引っかけのみだと、縦方向の固定がなされず、容易に外れてしまうため、縦方向にも突出爪６７１を設けて固定する。すなわち、縦移動制限のために、ユニット筐体６１を装置ケース３５に取り付ける横方向への移動を利用して、点検ユニット装着部３５１の突出爪３２４の奥方向の壁面に対してユニット筐体６１の突出爪６７１の開口方向の壁面を横方向からスライドして、突出爪同士を引っ掛ければよい。縦方向において、ユニット筐体６１の突出爪６７１の開口方向の壁面が、点検ユニット装着部３５１の突出爪３２４の奥方向の壁面に接触しているので、点検ユニット６０は、開口方向に移動することができない。
【０１３８】
点検基板６４には点検スイッチ６２とともに充電モニタ６５が設けられており、点検ユニット６０を装置ケース３５に組み付けた状態にて、枠２９から充電モニタ６５の発光状態が確認できる様に、充電モニタ６５は縦方向において点検孔２９４と切欠き部２７６とが存在する位置にレイアウトされる。充電モニタ６５は、例えば緑色のＬＥＤが用いられる。なお、モニタは１つでなく、２つ以上としてもよい。
【０１３９】
点検スイッチ６２が固定される場所は、点灯回路基板３３１側となっているが、点灯回路基板３３１と点検基板６４は平行に配置され、かつ、点灯回路基板３３１と点検基板６４は、基板面に垂直な横方向の投影面でオーバラップする様に配置される。したがって、点灯回路基板３３１の回路部品は、点検基板６４の配置される箇所には、なるべく高さの低い部品を使用することが望ましい。
こうすることで、３枚の回路基板を平行に配置することが可能となり、本体１０の小さいスペースの中でも効率的に基板を配置できる。
【０１４０】
＊＊＊点検ユニット６０の効果の説明＊＊＊
本実施の形態によれば、点検ユニット６０が点灯装置３０と別個に存在するので、点検ユニット６０の配置位置の自由度が増し、同一の点検ユニット６０を各種の照明器具で使用することができる。
【０１４１】
実施の形態２．
実施の形態２では、実施の形態１と異なる点について説明する。
＊＊＊構成・構造の説明＊＊＊
非常用照明器具においては、照度範囲の違うものや、バッテリユニットによる非常点灯時間の異なるものがある。
また、バッテリユニットは、光源２６の出力に応じて容量を増加させる必要もある。
【０１４２】
照度範囲が異なる場合には、光源２６の出力およびレンズ２１の形状を変更することで対応することが可能となる。
また、非常点灯時間が異なる場合には、バッテリユニット４０の容量を変更することで対応が可能となる。
【０１４３】
実施の形態１のバッテリユニット４０は、ＡＡセル（単三サイズ）を５本使用する構成となっているが、容量を増やす場合には、本体１０の内部で上方もしくは下方へ、あるいは、横方向へ、バッテリユニット４０の形状を拡大させたものも使用し、電池をＣセルとしたり、セルの本数を増やすことで対応が可能となる。
【０１４４】
バッテリユニット４０の容量を増やす場合、セルのサイズもしくは本数の変更で対応が可能となる。その際、バッテリユニット４０は形状を変更する必要があるが、点灯装置３０とのガイドリブ４６を用いた嵌め合い構造Ｍを変更することなく、バッテリユニット４０のケースの外郭を大きくすることで対応する。
バッテリユニット４０の形状の変更方法については、図１９、図２０に示すように、器具高さ方向に拡大する場合と、図２１、図２２に示すように、器具径を拡大する場合が考えられる。
器具高さ方向に拡大した場合は、器具径を同一としながら、器具高さを変更することで対応が可能である。
【０１４５】
一方、器具径を拡大した場合は、器具高さを変更することなく、器具外形のみを変更することで対応が可能となる。
これらは、器具の形態に応じて適宜選択される。
【０１４６】
図２０に示す天井に埋め込まれる器具においては、器具高さは意匠面に影響しないので、器具径を変更せずに器具高さを変更することが望ましい。
図１９に示すバッテリユニット４０は、バッテリユニットの一部が、点灯装置３０から開口部１０１のある開口方向に配置されている。
図１９に示すバッテリユニット４０は、実施の形態１と同じ嵌め合い構造Ｍを有し、縦方向に拡大部Ｎを有する。
図２０に示す天井に埋め込まれる器具においては、バッテリユニット４０の拡大部Ｎは、点灯装置３０の光源ユニット２０がある側に配置される。バッテリユニット４０の拡大部Ｎは、点灯装置３０と光源ユニット２０との間にあり、実施の形態１と同様に、点灯装置３０の両側に器具取付作業空間７０を確保しているので、器具取付金具１４の移動を妨げない。
図２０に示す天井に埋め込まれる器具においては、熱遮断空間７２の縦方向の長さＫ３は、照明器具１００の高さＴの１０％以上を確保することは難しいが、５％以上の隙間を確保して断熱するのがよい。
【０１４７】
図２１に示すバッテリユニット４０は、半円筒形をしており、中央に実施の形態１と同じ嵌め合い構造Ｍを有し、半径方向に拡大部Ｎを有する。バッテリユニット４０の外周半径は、拡大された本体１０の内周半径と同じである。
図２２に示す天井に直付される器具においては、器具高さが変更されると、天井面からの突出量が増えてしまうので、高さを同一にしながら器具径を拡大することが望ましい。
【０１４８】
図２２に示す天井に直付される器具では、本体１０は、作業空間配置方向Ｘに１対の器具取付穴１１５を有する。
点灯装置３０は、１対の器具取付穴１１５を結ぶ直線方向を横ぎるように、かつ、器具取付穴１１５をふさがないように本体１０に固定される。
天井に直付される器具は、ネジで天井に固定することになるが、点灯装置３０を本体１０の中央にレイアウトすることで、器具中心から対称な位置に器具取付作業空間７０が形成され、器具取付穴１１５を開口方向に露出することが可能となる。器具取付穴１１５は、実施の形態１のスリット１２３と同様に、作業空間配置方向Ｘに形成される。すなわち、器具取付穴１１５を奥板１１の器具取付作業空間７０の奥方向に形成することにより、天井へのネジ止め作業スペースが確保できる。
【０１４９】
図２２に示す天井に直付される器具では、点灯装置３０の外周面３５４と本体１０の内周面との間に空間ができるので、バッテリユニット４０の拡大部Ｎの左右一部は、点灯装置３０の短辺を有する側面である外周面３５４の一部と本体１０の内周面との間の空間に配置される。
【０１５０】
図２２に示す天井に直付される器具においても、電源端子台５０は本体１０に対し、中央に配置されることが望ましい。これは、天井への穴あけをする場合、器具の取り付けられる中心に穴あけをすることとなり、天井裏からの電線の電源端子台５０への取付が容易となるからである。
【０１５１】
図２２に示す天井に直付される器具では、本体１０が光源ユニット２０の枠２９と一体であり、本体１０が空中に露出する。
そこで、図１３に示した光源取付部２７と本体１０との空間Ｓ１、Ｓ２をなくし、光源取付部２７を本体１０にも接触させ、光源取付部２７から本体１０に伝熱することが望ましい。
本体１０が空中に露出しているので、放熱効果が高まり、光源２６の温度を下げることができる。
【０１５２】
＊＊＊効果の説明＊＊＊
本実施の形態によれば、バッテリユニット４０において点灯装置３０とのガイドリブ４６を用いた嵌め合い構造Ｍを共通にすることで、共通の点灯装置３０を共用しながらバッテリユニット４０のみを変更することで、複数種類の照明器具１００に対応が可能となる。
【０１５３】
実施の形態３．
実施の形態３では、実施の形態１、２と異なる点について説明する。
【０１５４】
＊＊＊構成の説明＊＊＊
本実施の形態においては、商用電源からの電源供給を受ける常用時は、常用時用の光源が点灯し、非常時用の光源は消灯、商用電源が停電した非常時は、常用時用の光源が消灯し、非常時用の光源が点灯する器具について説明する。
【０１５５】
図２３は、実施の形態３における照明器具１００の図である。
照明器具１００は、長尺の本体１０を有する。
本体１０は、常用時用光源８０と非常時用光源９０を取り付けている。
ここで、常用時用光源８０は、例えば、直管形ＬＥＤランプ、ＬＥＤモジュール、蛍光灯などが用いられる。常用時用光源８０は、ポリカーボネートなどの樹脂カバー８１で覆われている。
また、非常時用光源９０は、例えば、ＣＯＢタイプのＬＥＤが用いられる。非常時用光源９０は、ガラスのレンズ２１で覆われている。
【０１５６】
本実施の形態の器具は、常用時は商用電源からの電力供給を受け、常用時用光源８０が点灯し、非常時用光源９０は消灯している。また、バッテリは充電されている状態となっている。
【０１５７】
本実施の形態において、点灯装置３０は、非常時用光源９０の点灯装置であり、常用時用光源８０に対しては、別に常用時用の点灯装置８２を設けている。なお、別に設けた常用時用の点灯装置８２は、非常用光源用の点灯装置３０と一体としてもよい。
本体１０には、点検孔２９４があり、点検スイッチ６２が露出している。また、点検孔２９４の奥には、充電モニタ６５がある。
【０１５８】
図２４は、実施の形態３における点灯装置３０と点検ユニット６０と電源端子台５０の取付図である。
図２４において、非常時用光源９０は、簡略化して図示しているが、実施の形態１又は２で説明した光源ユニット２０をそのまま、あるいは、枠取付金具２５を短くして用いることができる。
図２４の点灯装置３０とバッテリユニット４０と電源端子台５０と点検ユニット６０とは、実施の形態１と同じものである。
実施の形態１と同様に、点灯装置３０と電源端子台５０とは、奥板１１に固定され、本体１０の内部に収納される。電源端子台５０の一面は奥板１１の端子露出孔１１３から露出して、電源ケーブルと接続される。
【０１５９】
また、実施の形態１と同様に、点検ユニット６０は、点灯装置３０の外側から組み付けられる形状となっており、点検ユニット６０は、点灯装置３０の点灯回路基板３３１および充電回路基板３３２とは独立した構成となっている。
【０１６０】
点検ユニット６０の点灯装置３０への嵌め合いは、点検スイッチ６２の操作方向に対して、直交する方向となっている。点検ユニット６０の点灯装置３０への着脱は、道具なしでできる。
【０１６１】
点検ユニット６０は、点灯装置３０から独立した構成となっているので、器具の形状によっては、点検ユニット６０を点灯装置３０以外の場所に取り付けることも可能である。その際、ユニット筐体６１は適宜形状を変更してもよい。
例えば、器具の全高が高い器具などでは、点検基板６４に搭載される充電モニタ６５が奥まった場所に取り付けられた場合、視認しづらくなる場合がある。
そのような際は、実施の形態１においては、点検ユニット６０を光源ユニット２０の枠２９の内面又は光源ユニット２０に近い本体１０の内面に固定するとよい。
また、図２５に示すように、点検ユニット６０のユニット筐体６１をボックス状に形成して、点検ユニット６０を非常時用光源９０に近い本体１０の内面に固定するとよい。図２５では、ユニット筐体６１には、ネジボス６９があり、ユニット筐体６１は本体１０に横方向からネジ止めされる。
その際、ユニット筐体６１を意匠的なカバーとしてもよい。
【０１６２】
＊＊＊効果の説明＊＊＊
本実施の形態によれば、点検ユニット６０が、点灯装置３０の外側から組み付けられる形状となっており、点検ユニット６０は、点灯装置３０の点灯回路基板３３１および充電回路基板３３２とは独立した構成となっているので、照明器具１００の形状あるいは点灯装置３０の形状に応じて、点検ユニット６０の配置位置を変更することができる。
【０１６３】
本実施の形態によれば、ユニット筐体６１の形状のみを変更することで、点検ユニット６０を形態の異なる器具に取り付けることができ、器具の形態によらず点検ユニット６０の使用が可能となるので、点灯装置３０などの部品の標準化が図れる。
【０１６４】
本実施の形態によれば、点灯装置３０と点検ユニット６０とを一体とすることが可能となるので、器具の小型化が可能となる。
【０１６５】
実施の形態４．
実施の形態４では、実施の形態１、２、３と異なる点について説明する。
【０１６６】
＊＊＊構成の説明＊＊＊
図２６は、実施の形態４における光源ユニット２０の分解斜視図である。
図２７は、図２６の光源ユニット２０のＰ−Ｐ断面図である。
枠２９は、直径方向に１対の錐状ネジ受け部２９６を有する。錐状ネジ受け部２９６の中央にはネジ孔２９７がある。錐状ネジ受け部２９６は、天面と底面とがない円錐台の形状をしている。
【０１６７】
枠取付金具２５の固定板部２５１は、挟持板部２５１３と立板部２５１２とを有する。挟持板部２５１３と立板部２５１２とは直交しており、立板部２５１２は、平板部２５２と平行又はほぼ平行である。
挟持板部２５１３の中央には、嵌め孔２５１４が形成されている。
嵌め孔２５１４の内径は、錐状ネジ受け部２９６の根本の外径と同じである。
ネジ２９８の頭部の形状は、上面が平坦で座面が円錐の形をした皿型である。ネジ２９８は、錐状ネジ受け部２９６のネジ孔２９７と挟持板部２５１３の嵌め孔２５１４とを貫通する。
【０１６８】
光源取付部２７は、直径方向に１対のネジ取付部２７９を有する。ネジ取付部２７９は、枠２９の裏面と面接触する厚肉部２７９１に形成されている。ネジ取付部２７９には、ねじ溝が形成されたネジ穴２７９２が形成されている。ネジ取付部２７９のネジ穴２７９２のネジ挿入口には、錐状ネジ受け部２９６と干渉しないように環状のテーパ面２７９３が形成されている。
ネジ取付部２７９には、光源取付部２７の外周面２７７が切り欠かれた傾斜部２７９４がある。傾斜部２７９４は、外周面２７７よりも半径が小さい。また、傾斜部２７９４は、奥方向に行くほど半径が小さくなっている。傾斜部２７９４の幅は、枠取付金具２５の平板部２５２の幅より大きく、光源ユニット２０を本体１０に着脱する際に、枠取付金具２５が矢印で示すように半径方向に自由に移動できる。
光源取付部２７は、ソケット収納部２７１の両側に１対の窪み２７０を有する。窪み２７０は、ソケット収納部２７１の表面より奥方向に窪んだ凹部である。
【０１６９】
＊＊＊組立方法の説明＊＊＊
まず、枠２９の錐状ネジ受け部２９６に、枠取付金具２５の嵌め孔２５１４を嵌め合わせる。
次に、光源取付部２７の窪み２７０に立板部２５１２を挿入しながら、光源取付部２７を枠２９と枠取付金具２５とに取り付ける。光源取付部２７の窪み２７０に立板部２５１０を挿入することにより、光源取付部２７は、横方向に位置決めされ、光源取付部２７のネジ取付部２７９のネジ穴２７９２の位置は、錐状ネジ受け部２９６のネジ孔２９７の位置と一致する。
次に、ネジ２９８を錐状ネジ受け部２９６のネジ孔２９７から挿入して、光源取付部２７のネジ取付部２７９のネジ穴２７９２にねじ込む。枠取付金具２５の挟持板部２５１３は、光源取付部２７の厚肉部２７９１の表面と枠２９の裏面とに挟持される。嵌め孔２５１４の内径は、錐状ネジ受け部２９６の根本の外径と同じであるから、ネジ２９８を締め付けることにより、枠取付金具２５の正確な位置決めができる。
こうして、枠２９と枠取付金具２５と光源取付部２７とは、ネジ２９８により固定される。
以上のように、枠取付金具２５およびレンズ２１は、光源取付部２７と枠２９をねじ止めすることで固定される。枠２９には、皿ネジ用の張り出し形状の錐状ネジ受け部２９６が設けられており、光源取付部２７には枠２９に設けられた張り出しに沿ったネジ穴２７９２が設けられている。枠取付金具２５は枠２９と光源取付部２７に挟まれることにより固定される。枠取付金具２５は、枠２９の錐状ネジ受け部２９６に対応する箇所に嵌め孔２５１４が設けられており、固定される際に錐状ネジ受け部２９６と干渉しない構造となっている。
【０１７０】
＊＊＊効果の説明＊＊＊
本実施の形態によれば、枠２９はネジ２９８が挿入されるネジ孔２９７を有し、光源取付部２７はネジ取付部２７９を有し、枠取付金具２５を枠２９と光源取付部２７の間に配置しているので、ネジ２９８で枠２９を光源取付部２７に固定することにより枠取付金具２５を固定することができる。
また、枠取付金具２５を固定するためだけの部品が不要である。
【０１７１】
本実施の形態によれば、錐状ネジ受け部２９６があり、ネジ２９８の頭を収納するので、ネジ２９８の頭が枠２９の表面から突出しない。
【０１７２】
実施の形態５．
実施の形態５では、実施の形態１、２、３、４と異なる点について説明する。
実施の形態５では、前述した点灯装置３０を改良した基板ユニット装置３００について、以下の改良点について説明する。
（１）基板ユニット装置３００のコネクタの固定構造
（２）基板ユニット装置３００の内部部品の視認構造
（３）基板ユニット装置３００の回路基板と基板ホルダの固定構造
実施の形態５では、改良された点灯装置を基板ユニット装置３００というが、点灯装置は基板ユニット装置３００の好適な具体例であり、基板ユニット装置３００が点灯装置である必要はなく、基板ユニット装置３００が点灯回路を有していない場合でも構わない。
【０１７３】
＊＊＊コネクタの固定構造の構成の説明＊＊＊
図２８は、基板ユニット装置３００のバッテリ側ケース３１におけるバッテリ側コネクタ３３５１の取付構造を示す図である。
バッテリ側ケース３１は、一面が開口し中央部分が窪んだ蓋状の装置ケース３５である。
バッテリ側ケース３１は、コネクタを固定するコネクタ取付部５５１を有している。以下、単に、バッテリ側コネクタ３３５１をコネクタともいう。バッテリ側コネクタ３３５１は、六面体の胴部５６０に、胴凸部５５８とつまみ５５９を有している。胴凸部５５８は胴部５６０の壁面側の側面から壁面５５６に向かって水平方向に突出した線状のでっぱりである。つまみ５５９は、胴部５６０の先端両側から斜め上方向に翼状に取り付けられた１対の可動片である。
【０１７４】
コネクタ取付部５５１は、コネクタ固定孔３１２を有する。
コネクタ取付部５５１のコネクタを固定するコネクタ面３１２１とバッテリ側ケース３１の壁面５５６とは直交する。
図３０に示すように、コネクタ固定孔３１２は、短辺が幅Ｗ６で長辺が幅Ｗ１０の矩形をしており、胴部５６０の水平方向の断面形状と同じ形状をしている。コネクタ固定孔３１２の４か所のコーナーにカギ状の張出部３１２２を設けることにより、コネクタ固定孔３１２の長辺にはつまみ５５９を通過させる切欠きが形成されている。コネクタ固定孔３１２は全体として太い十字形をしている。
【０１７５】
壁面５５６は、コネクタをコネクタ固定孔３１２へ挿入する複数のガイドリブ５５２を有する。ガイドリブ５５２は、壁面５５６からバッテリ側ケース３１の内側に向かって縦方向に突出したレール状リブである。
図２９に示すように、ガイドリブ５５２は、横抑制リブ５５３と奥抑制リブ５５４と横抑制リブ５５５を有する。
図３０に示すように、２本の横抑制リブの間隔Ｗ５は、コネクタ固定孔３１２の短辺の開口幅Ｗ６と同じであり、コネクタの胴部５６０の壁面側の側面の横幅と同一間隔又は略同一の間隔である。
２本の横抑制リブは、コネクタの胴部５６０を間に挿入することで、壁面５５６と平行な方向におけるコネクタの位置をガイドする。
横抑制リブ５５３は、底面３１９からコネクタ面３１２１まで形成されている。
奥抑制リブ５５４と横抑制リブ５５５は、底面３１９からコネクタ面３１２１までは形成されておらず、底面３１９からコネクタ面３１２１までの長さの半分程度まで形成されている。
横抑制リブ５５３は、壁面側のコーナーにある１か所の張出部３１２２から底面３１９まで連続して形成されている。すなわち、横抑制リブ５５３の面は、コネクタ固定孔３１２の張出部３１２２の内周面と連続して形成されている。
【０１７６】
奥抑制リブ５５４は、２本の横抑制リブの間に形成され、２本の横抑制リブの中央にある。
奥抑制リブ５５４の壁面５５６からの高さＷ７は、コネクタ固定孔３１２と壁面５５６との距離Ｗ８と同じである。奥抑制リブ５５４の壁面５５６からの高さＷ７は、２本の横抑制リブの高さＷ９よりも低い。
奥抑制リブ５５４は、壁面５５６と直交する方向におけるコネクタの位置をガイドする。また、横抑制リブの高さＷ９を、つまみ５５９の側部と接触する高さにすれば、壁面５５６と直交する方向におけるコネクタの位置をガイドすることができる。
【０１７７】
以上のように、図２８に示す基板ユニット装置３００は、バッテリ用ハーネス３３５のコネクタを固定するコネクタ取付部５５１を有するバッテリ側ケース３１を備えている。バッテリ側ケース３１のコネクタ取付部５５１の近傍に３つのガイドリブ５５２を有し、そのうち２つの外側のガイドリブはコネクタの幅と略同一の幅で配置されている。２つの外側のガイドリブの間のリブは、２つのガイドリブの中央に位置し、外側のガイドリブよりも高さが低くなっている。
【０１７８】
また、２つの外側のガイドリブの少なくとも一方は、コネクタ取付部５５１のコネクタ固定孔３１２と連続的に形成されている。
【０１７９】
＊＊＊コネクタの固定構造の動作の説明＊＊＊
図２９に示すように、バッテリ側コネクタ３３５１を、バッテリ側ケース３１に固定する場合、バッテリ側コネクタ３３５１を底面３１９からコネクタ取付部５５１に向けて斜めに挿入する。バッテリ用ハーネス３３５は、ほぼ直角方向に曲げられるので、バッテリ用ハーネス３３５は、耐屈曲性能のある電線を使用することが望ましい。
挿入する際、まず、バッテリ側コネクタ３３５１の胴部５６０の下奥先端を、横抑制リブ５５３に接触させる。この時点で、バッテリ側コネクタ３３５１の胴部５６０の下奥先端は、２本の横抑制リブに挟まれた状態になる。
その後、バッテリ側コネクタ３３５１の胴部５６０を横抑制リブ５５３に沿って下方にスライドさせる。スライドさせるにしたがって、バッテリ側コネクタ３３５１の胴部５６０は斜めに傾いた状態から垂直方向に近づく。その結果、バッテリ側コネクタ３３５１の胴部５６０の胴凸部５５８は、奥抑制リブ５５４と横抑制リブ５５５の下方に移動し、胴凸部５５８より上部の胴部５６０が、奥抑制リブ５５４と横抑制リブ５５５に接触する。こうして、バッテリ側コネクタ３３５１の胴部５６０は垂直方向になる。この時点で、バッテリ側コネクタ３３５１の胴部５６０の上部は、２本の横抑制リブに挟まれた状態になり左右方向への移動は完全にできなくなる。また、同時に、胴部５６０を壁面５５６に押し付けても、バッテリ側コネクタ３３５１は奥抑制リブ５５４により壁面５５６に近づくことができなくなる。
バッテリ側コネクタ３３５１の壁面側の側面には、胴凸部５５８が壁面側に突出しているが、奥抑制リブ５５４と横抑制リブ５５５は、底面３１９からコネクタ面３１２１までの長さの半分程度まで形成されている。したがって、斜めに傾いた状態から垂直方向に近づけ、さらに奥抑制リブ５５４と横抑制リブ５５５とをスライドするにあたり、胴凸部５５８が障害にならない。すなわち、バッテリ側コネクタ３３５１が垂直状態になっても、胴凸部５５８は奥抑制リブ５５４と横抑制リブ５５５の下方に位置するので、胴凸部５５８が奥抑制リブ５５４と横抑制リブ５５５にあたることがない。
その後、胴部５６０を壁面５５６に押し付けたまま、すなわち、３本のガイドリブ５５２に左右方向と奥方向の位置を抑制させたまま、バッテリ側コネクタ３３５１を下方にスライドさせる。
横抑制リブ５５３の下端とコネクタ固定孔３１２内周面とは連続しているので、バッテリ側コネクタ３３５１が下方に移動することにより、バッテリ側コネクタ３３５１はコネクタ固定孔３１２に滑り込むように嵌めこまれる。
つまみ５５９は、胴部５６０に押し付けられた状態でコネクタ固定孔３１２の切欠きを通過する。一方、胴凸部５５８は、コネクタ固定孔３１２を通過することができない。すなわち、バッテリ側コネクタ３３５１は、胴凸部５５８の手前までコネクタ固定孔３１２に挿入され、つまみ５５９がコネクタ固定孔３１２を通過後に広がるように復元して抜け止めとなり、バッテリ側コネクタ３３５１がコネクタ取付部５５１に固定される。
【０１８０】
＊＊＊コネクタの固定構造の効果の説明＊＊＊
この実施の形態によれば、コネクタ取付部５５１の形状に合わせたガイドリブ５５２を設けることでバッテリ側コネクタ３３５１を容易に固定することが可能となる。ガイドリブ５５２は、バッテリ側ケース３１の底面３１９にハーネス用スリット３１３を設けることが困難な形状となっている場合に有効である。
また、バッテリ側コネクタ３３５１の側面の幅に合わせた２本の横抑制リブがあるので、バッテリ側コネクタ３３５１の左右方向の位置合わせが可能である。すなわち、バッテリ側コネクタ３３５１が２本の横抑制リブの間に挟まれることで横方向の動きが規制される。
また、少なくとも１つの横抑制リブ５５３が、コネクタ取付部５５１の開口端面から連続的に設けられており、バッテリ側コネクタ３３５１をコネクタ固定孔３１２の開口に容易に誘導することができる。
また、コネクタの胴部５６０の側面の中心に合わせ１か所設けられている奥抑制リブ５５４があるので、コネクタ挿入時にコネクタがバッテリ側ケース３１の壁面５５６に押された場合、コネクタの奥方向の動きが規制される。
また、すくなくとも、奥抑制リブ５５４の長さを短くして、胴凸部５５８などコネクタの凹凸がある部分と奥抑制リブ５５４とが当たらないようにしているので、胴凸部５５８などのコネクタの胴部５６０の側面の凹凸によりコネクタ挿入時にコネクタが浮いてしまうこと防止することができる。
【０１８１】
＊＊＊コネクタの固定構造の他の構成の説明＊＊＊
図３１の（ａ）に示すように、横抑制リブ５５５をなくし、横抑制リブ５５３と奥抑制リブ５５４を連結して、ガイドリブ５５２の水平方向の断面形状をかぎ型にしてもよい。このかぎ型形状は、コネクタ固定孔３１２の１かっ所のカギ状の張出部３１２２と連続して形成する。
図３１の（ｂ）に示すように、奥抑制リブ５５４が、横抑制リブ５５３と横抑制リブ５５５の間全体に存在して、ガイドリブ５５２の水平方向の断面形状を凹型にしてもよい。この凹型形状は、コネクタ固定孔３１２の２か所のカギ状の張出部３１２２と連続して形成する。
図３１の（ｃ）に示すように、胴部５６０の長辺と平行な壁面５５６から横抑制リブ５５３と横抑制リブ５５５を形成してもよい。
図３１の（ｄ）に示すように、胴部５６０の長辺と平行な壁面５５６と短辺と平行な壁面５５６から横抑制リブ５５３を形成してもよい。
また、図示しないが、コネクタの壁面側の胴部に凸部がなければ、３本のガイドリブ５５２の全て又は２本のガイドリブ５５２を、底面３１９からコネクタ面３１２１まで形成してもよい。特に３本のガイドリブ５５２が、コネクタ取付部５５１の開口端面から連続的に設けられていれば、バッテリ側コネクタ３３５１をコネクタ固定孔３１２の開口にさらに容易に誘導することができる。
バッテリ側ケース３１の底面３１９にハーネス用スリット３１３を設け、さらに、壁面５５６にガイドリブ５５２を設けてもよい。
【０１８２】
＊＊＊内部部品の視認構造の構成の説明＊＊＊
図３２は、基板ユニット装置３００の内部にある部品・材料の視認構造を示す図である。
図３３は、バッテリ側ケース３１の三面図と、基板ホルダ３３３の三面図である。
この実施の形態では、熱伝導部材を外部から確認すべき部品とする例を説明する。
【０１８３】
図３２に示すように、点灯装置３０は２個の装置ケース３５を有する。装置ケース３５は、バッテリ側ケース３１と点検スイッチ側ケース３２とからなる。バッテリ側ケース３１は、ケーススリット５６２を有している。
ケーススリット５６２は、バッテリ側ケース３１の外周面３５４の端部に形成されている。
ケーススリット５６２は、外周面３５４の端部が、Ｕ字状、又は、コ字状に切り欠かれた切欠き空間である。
ケーススリット５６２は、バッテリ側ケース３１の左右両側の高さが異なる位置に１か所ずつ設けられている。
【０１８４】
図３２の（ｄ）に示すように、基板ユニット３３は、バッテリ側ケース３１と点検スイッチ側ケース３２の嵌め合わせ部分の内側に、収納される。基板ユニット３３は、基板ホルダ３３３と点灯回路基板３３１と充電回路基板３３２とを有している。
【０１８５】
図３３に示すように、基板ホルダ３３３は、ホルダスリット５６１を有している。
ホルダスリット５６１は、サイド壁３３３５に形成されている。
ホルダスリット５６１は、サイド壁３３３５の端部が、Ｕ字状、又は、コ字状に切り欠かれた切欠き空間である。
ホルダスリット５６１は、バッテリ側ケース３１の左右両側の高さが異なる位置に１か所ずつ設けられている。
【０１８６】
ホルダスリット５６１とケーススリット５６２とは、一直線上に形成されている。そして、ホルダスリット５６１の切欠き面積は、ケーススリット５６２の切欠き面積より大きい。
【０１８７】
図３４の基板ユニット装置３００の分解斜視図に示すように、基板ホルダ３３３は、絶縁壁３３３４を有し、サイド壁３３３５は、絶縁壁３３３４の端部から突出して絶縁壁３３３４の周囲を囲むように絶縁壁３３３４の端部から立設されている。
基板ホルダ３３３は、点灯回路基板３３１の半田面と充電回路基板３３２の半田面とを絶縁壁３３３４に対向させて保持するので、回路基板の半田面の周囲は、サイド壁３３３５により覆われている。
図３４に示すように、充電回路基板３３２と基板ホルダ３３３との間には、絶縁壁３３３４と同じ形状の熱伝導部材５６３が挟まれる。
熱伝導部材５６３は、充電回路基板３３２に発生する熱を基板ホルダ３３３の伝える放熱パッドである。
【０１８８】
＊＊＊部品・材料の視認構造の動作の説明＊＊＊
ホルダスリット５６１とケーススリット５６２とは、熱伝導部材５６３に対応する位置に設けられている。すなわち、ホルダスリット５６１とケーススリット５６２とは、絶縁壁３３３４と充電回路基板３３２との間が見えるように形成されている。
図３２の矢印の方向、すなわち、横方向から、基板ユニット装置３００の内部を覗くと、ホルダスリット５６１とケーススリット５６２とが直線方向に形成されているので、基板ユニット装置３００の内蔵部品の状態を確認することができる。すなわち、バッテリ側ケース３１と点検スイッチ側ケース３２とを組み合わせた後でも、基板ユニット装置３００の内蔵部品の状態を確認することができる。
【０１８９】
＊＊＊部品・材料の視認構造の効果の説明＊＊＊
この実施の形態の基板ユニット装置３００によれば、基板ホルダ３３３が外部から回路基板の部品が視認できるホルダスリット５６１を有し、装置ケース３５がホルダスリット５６１を介して外部から回路基板の部品が視認できるケーススリット５６２を有している。このため、基板ユニット装置３００を分解しなくても、基板ユニット装置３００の内部部品を検査することができる。
特に、この実施の形態では、絶縁壁３３３４と充電回路基板３３２との間にある熱伝導部材５６３を外部より確認することができる。
ホルダスリット５６１とケーススリット５６２とは、左右両側にあるので、両側から熱伝導部材５６３の存否とその状態を容易に確認することができる。
装置ケース３５の内側に収納される基板ホルダ３３３のホルダスリット５６１は、バッテリ側ケース３１のケーススリット５６２より大きいので、正面以外の斜め方向から確認を実施する場合においても、熱伝導部材５６３を容易に確認することができる。
【０１９０】
＊＊＊内部部品の視認構造の他の構成の説明＊＊＊
ケーススリット５６２は、点検スイッチ側ケース３２にあってもよい。バッテリ側ケース３１と点検スイッチ側ケース３２の両方にあってもよい。
ホルダスリット５６１は、基板ホルダ３３３の反対側のサイド壁３３３５にあってもよいし、両側のサイド壁３３３５にあってもよい。
確認すべき部品は、基板に搭載された電子部品、コネクタ、配線、その他の部品でもよい。ホルダスリット５６１とケーススリット５６２とは、確認すべき部品が直視できるような位置にあればよい。
ホルダスリット５６１とケーススリット５６２の形状は、Ｕ字状、又は、コ字状でなくてもよく、確認すべき部品に合わせて、楕円状、半円状、カギ状、台形状でもよい。ホルダスリット５６１とケーススリット５６２の形状は、同一でもよいし、相似形でもよいし、異なっていてもよい。
ケーススリット５６２は、外周面３５４の端部になくてもよく、ホルダスリット５６１に対応して形成されていれば、サイド面３５３又は底面３１９又は上面５５７の端部にあってもよい。
ケーススリット５６２は、端部になくてもよく、ホルダスリット５６１に対応して形成されていれば、外周面３５４又はサイド面３５３又は底面３１９又は上面５５７に貫通孔として形成されてもよい。すなわち、ホルダスリット５６１とケーススリット５６２の配置場所は、基板ユニット装置３００を形成する六面のいずれの面でもよい。
【０１９１】
＊＊＊回路基板と基板ホルダの固定構造の構成の説明＊＊＊
点灯装置３０の内部に、回路基板と基板ホルダを固定する構造について説明する。
以下、点灯回路基板３３１と充電回路基板３３２とを単に回路基板ともいう。
バッテリ側ケース３１と点検スイッチ側ケース３２とを組み合わせて、基板ユニット３３を保持するので、バッテリ側ケース３１と点検スイッチ側ケース３２とにより、基板ホルダ３３３に取り付けられた回路基板が基板ユニット装置３００の内部に固定される。
回路基板は、４か所の爪３３３１により引っ掛け構造により基板ホルダ３３３に取り付けられているが、単純に基板ユニット装置３００の内部に基板ユニット３３を収納した場合、基板ユニット装置３００に振動や衝撃が加わった際に、回路基板が爪３３３１から外れ、回路基板が基板ホルダ３３３から脱落するおそれがある。
そこで、装置ケース３５に、基板ユニット３３を保持する脱落防止リブを設ける。具体的には、バッテリ側ケース３１と点検スイッチ側ケース３２との内部の回路基板および基板ホルダ３３３の端部に対応する複数の位置に、回路基板と基板ホルダ３３３とを保持する脱落防止リブを設ける。
【０１９２】
図３５は、図３４の基板ユニット装置３００を組み立てた場合のＴ−Ｔ断面図である。
脱落防止リブ５７１は、装置ケース３５の内壁から、装置ケース３５の内側に向かってレール状に形成されたリブであり、点灯回路基板３３１と基板ホルダ３３３とに当たるように突出して形成されたリブである。
脱落防止リブ５７１は、途中に階段形状の部分があり、階段形状の部分に脱落防止部５７２とホルダ押え部５７３とを形成している。すなわち、脱落防止部５７２とホルダ押え部５７３とは、装置ケース３５の内壁の段違いのリブに形成された直角に交わるリブ面である。
脱落防止部５７２は、点灯回路基板３３１の端縁５７４をサイド壁３３３５の頂部５７６に押し付けるリブ面である。脱落防止部５７２は、点灯回路基板３３１の基板面と平行なリブ面である。
ホルダ押え部５７３は、基板ホルダ３３３の両端の外面５７７すなわちサイド壁３３３５の外側の面を基板ホルダ３３３の中央に押し付けるリブ面である。ホルダ押え部５７３は、点灯回路基板３３１の基板面と直交するリブ面である。
【０１９３】
＊＊＊回路基板と基板ホルダの固定構造の動作の説明＊＊＊
脱落防止部５７２は、点灯回路基板３３１の基板面と垂直な方向に点灯回路基板３３１を基板ホルダ３３３から脱落させないようにしている。
基板ホルダ３３３は、点灯回路基板３３１の端縁５７４の半田面をサイド壁３３３５の頂部５７６に乗せて点灯回路基板３３１を保持している。脱落防止部５７２は、バッテリ側ケース３１と点検スイッチ側ケース３２とが嵌めあわされる際に、点灯回路基板３３１の端縁５７４の部品面をサイド壁３３３５の頂部５７６に押し付ける。
【０１９４】
脱落防止部５７２は、点灯回路基板３３１の端縁５７４をサイド壁３３３５の頂部５７６とで挟むことにより、点灯回路基板３３１の基板面と垂直な方向における点灯回路基板３３１の位置を固定する。
また、脱落防止部５７２は、点灯回路基板３３１の端縁５７４をサイド壁３３３５の頂部５７６とで挟むことにより、点灯回路基板３３１を介して、点灯回路基板３３１の基板面と垂直な方向における基板ホルダ３３３の位置も間接的に固定する。
【０１９５】
ホルダ押え部５７３は、基板ホルダ３３３の両サイドに設けられている。
ホルダ押え部５７３の間隔は、基板ホルダ３３３の長辺の長さと同じであり、基板ホルダ３３３をホルダ押え部５７３の間に配置して、バッテリ側ケース３１と点検スイッチ側ケース３２とを嵌めあわせる。
ホルダ押え部５７３は、点灯回路基板３３１の基板面と平行な方向における基板ホルダ３３３の位置を固定する。
また、基板ホルダ３３３と点灯回路基板３３１の外形が同じなので、ホルダ押え部５７３は、点灯回路基板３３１の外周５７５をも押えることになり、ホルダ押え部５７３は、点灯回路基板３３１の基板面と平行な方向における点灯回路基板３３１の位置も固定する。
【０１９６】
＊＊＊回路基板と基板ホルダの固定構造の効果の説明＊＊＊
この実施の形態によれば、脱落防止リブ５７１を設けることで、装置ケース３５を組み合せた状態にて回路基板が基板ホルダ３３３から脱落することを防止することができる。
また、脱落防止リブ５７１の構造は段地となっており、脱落防止リブに簡単な段差を設けることにより、脱落防止部５７２とホルダ押え部５７３とが形成でき、回路基板と基板ホルダとの両方を固定することができる。
また、脱落防止部５７２により、回路基板が基板ホルダから脱落することを防止することができ、ホルダ押え部５７３により、回路基板および基板ホルダのケースとのがたつきを抑えることができる。
【０１９７】
＊＊＊回路基板と基板ホルダの固定構造の他の構成の説明＊＊＊
脱落防止リブ５７１は、基板ユニット３３の両側の同じ位置に設けることが望ましい。すなわち、基板ユニット３３を挟むように脱落防止リブ５７１を対向して２か所設ける場合は直線上に配置することが望ましい。
脱落防止リブ５７１は、基板ユニット３３の各辺に少なくとも１か所あればよく、外周面３５４又はサイド面３５３又は底面３１９又は上面５５７の内面すべてにあればよい。
また、脱落防止リブ５７１は、各辺の角を押えることが望ましく、各辺の端部に１か所ずつすなわち各辺に２か所存在することが望ましい。
脱落防止リブ５７１は、脱落防止部５７２のみを有していてもよいし、ホルダ押え部５７３のみを有していてもよい。
脱落防止リブ５７１は、レール状の突部でなくてもよく、ドーム状、凸状、ブロック状の突起形状でもよい。
【０１９８】
実施の形態６．
実施の形態６では、実施の形態１、２、３、４、５と異なる点について説明する。
実施の形態６では、放熱部材６５０を備えた光源ユニット２０の放熱構造について説明する。
照明器具あるいは非常用照明器具において、光出力が異なる複数の機種が存在する。光出力が高い機種においては、投入電力も高くなるため、その分、十分な放熱が必要となる。そのような機種の場合は、光源取付部２７にさらに放熱部材６５０を追加することで、放熱容量が向上する。
【０１９９】
図３６、図３７、図３８を用いて、放熱部材６５０が直付用放熱部材６５１の場合を説明する。
図３９、図４０を用いて、放熱部材６５０が埋込用放熱部材６６１の場合を説明する。
【０２００】
＊＊＊直付用放熱部材６５１を用いた構成の説明＊＊＊
図３６は、直付用放熱部材６５１を用いた光源ユニット２０の側面図と断面図である。
図３７は、直付用放熱部材６５１を用いた光源ユニット２０の分解斜視図と、組立斜視図である。
図３８は、光源取付部２７と直付用放熱部材６５１との図である。
【０２０１】
光源ユニット２０は、光を出射する光源２６と、光源２６が取り付けられた光源取付部２７と、光源取付部２７に取り付けられた直付用放熱部材６５１を有する。光源ユニット２０は、枠表板７６１と枠側板７６２とからなる枠２９を有している。
光源取付部２７は、複数機種の照明器具に共通に用いられる部品である。
直付用放熱部材６５１は、複数機種の照明器具のうち光源取付部２７が用いられる照明器具に対応した形状の放熱部材である。直付用放熱部材６５１は、折り曲げ部分やネジ穴がなく、厚さが均一な単純な金属板である。
【０２０２】
光源ユニット２０は、光源取付部２７を覆う枠２９を備え、直付用放熱部材６５１は、光源取付部２７と枠２９とに挟まれて固定され、光源取付部２７の熱を枠２９に伝達する。
【０２０３】
図３８に示すように、光源取付部２７は、直付用放熱部材６５１の開口部６５２を嵌めこむ位置決め用凹部６５４を有する。位置決め用凹部６５４は、２か所あり、中心角が４０度の弧状凹部と中心角が１４０度の弧状凹部とがある。位置決め用凹部６５４は、光源取付部２７に対する直付用放熱部材６５１の位置決めをする。
【０２０４】
直付用放熱部材６５１は、開口部６５２を有するドーナツ板である。
直付用放熱部材６５１は、１８０度方向の外周２か所に、外周の一部が弧状に切り欠かれたバネ避け部６５６を形成している。
直付用放熱部材６５１は、開口部６５２の１８０度方向の内周２か所に、中心角が５０度の弧状のバネ通過部６５７を形成している。直付用放熱部材６５１は、開口部６５２の内周に、弧状のコネクタ通過部６５８と弧状のスイッチ通過部６５９を形成している。バネ通過部６５７の一つとコネクタ通過部６５８とスイッチ通過部６５９とはそれぞれ中心角が５０度であり、隣り合って連続して形成されている。
１対のバネ避け部６５６と１対のバネ通過部６５７とは、それぞれ同一半径方向に形成されている。
直付用放熱部材６５１は、開口部６５２の内周に、位置決め用凹部６５４に嵌めこまれる弧状の位置決め用凸部６５５を形成している。位置決め用凸部６５５も、２か所あり、中心角が４０度の弧状凸部と中心角が１４０度の弧状凸部とがある。
バネ取付部６６０の部分を除き、開口部６５２の内周形状と、光源取付部２７の位置決め用凹部６５４がある部分の水平方向の断面の外周形状とは同じである。
【０２０５】
＊＊＊直付用放熱部材６５１を用いた動作の説明＊＊＊
光源ユニット２０を組み立てる際、光源取付部２７と枠２９とをネジ止めする前に以下の作業をする。
まず、直付用放熱部材６５１の開口部６５２を光源取付部２７に嵌め込む。
嵌め込む際に、直付用放熱部材６５１の位置決め用凸部６５５を、光源取付部２７の位置決め用凹部６５４の合わせることにより、直付用放熱部材６５１の半径方向の位置と回転方向の位置が確定する。
【０２０６】
位置決め用凸部６５５を位置決め用凹部６５４の合わせることにより、コネクタ通過部６５８とコネクタ固定孔２７２の位置とが一致するので、コネクタ固定孔２７２に固定されたコネクタが直付用放熱部材６５１を光源取付部２７に嵌め込む際の障害にならない。
また、同様に、バネ避け部６５６と枠取付金具２５の位置が一致するので、直付用放熱部材６５１を枠２９の奥に移動させて取り付ける際、枠２９の内面に固定された枠取付金具２５が障害にならない。
また、同様に、バネ通過部６５７とバネ取付部６６０の位置とが一致するので、バネ取付部６６０に枠取付金具２５が取り付けられている場合でも、枠取付金具２５が直付用放熱部材６５１を光源取付部２７に嵌め込む際の障害にならない。
また、同様に、スイッチ通過部６５９と切欠き部２７６の位置とが一致するので、点検孔２９４が内部空間側に露出でき、光源ユニット２０と本体１０とを取り付ける場合に、点検スイッチ６２を点検孔２９４に挿入することができる。
【０２０７】
次に、直付用放熱部材６５１を取り付けた光源取付部２７を枠２９の枠表板７６１にネジ止めする。直付用放熱部材６５１は光源取付部２７と枠２９の枠表板７６１との間に挟まれるとともに、枠２９の枠表板７６１の裏面に接触するように取り付けられる。
直付用放熱部材６５１の位置決め用凸部６５５の弧状の上面が、光源取付部２７の位置決め用凹部６５４の弧状の下面と面接触して熱が直付用放熱部材６５１に伝わる。また、開口部６５２の内周面が、光源取付部２７の外周面に接しているので、開口部６５２の内周面からも熱が直付用放熱部材６５１に伝わる。
【０２０８】
また、直付用放熱部材６５１の厚さと位置決め用凹部６５４の深さが同じなので、光源取付部２７に直付用放熱部材６５１が取り付けられた状態で、光源取付部２７の表面６６６と直付用放熱部材６５１の接触表面６７２は、同一平面となる。したがって、光源取付部２７の表面６６６と直付用放熱部材６５１の接触表面６７２との全面が、枠２９の裏面に面接触して熱が枠２９に伝わる。
【０２０９】
直付用放熱部材６５１として、直付用放熱部材６５１の厚さと開口部６５２の形状とが同一で、外形あるいは外径が異なる直付用放熱部材６５１を複数種類用意しておく。照明器具の形状の差異あるいは照明器具の外径の大小あるいは光源の出力の高低に合わせて、複数種類の直付用放熱部材６５１から最適な直付用放熱部材６５１を取り付ければよい。
すなわち、直付用放熱部材６５１は、厚さが同じで外形のみが異なる複数種類のリング状の放熱部材の中から光源取付部２７が用いられる照明器具の仕様に応じて選択された放熱部材である。
【０２１０】
天井に直付けされる直付用照明器具は、器具高さに制限があり、光源取付部２７の上面に放熱部材を取り付けることができない。そのため、直付用放熱部材６５１は、光源取付部２７と枠２９に挟まれるとともに、枠２９に接触するように取り付けられる。直付用放熱部材６５１を光源取付部２７と枠２９に挟むことで、光源取付部２７の熱を枠２９へ伝え、枠２９より外気へ熱を放熱させることができる。
【０２１１】
＊＊＊直付用放熱部材６５１を用いた効果の説明＊＊＊
この実施の形態によれば、直付用放熱部材６５１を光源取付部２７と枠２９に挟むことで、光源取付部２７の熱を枠２９へ伝え、枠２９より外気へ熱を放熱させる。これにより、効果的な放熱効果が見込まれる。
また、直付用放熱部材６５１を追加することにより、光源２６の出力の高い機種において、光源２６より発生する熱が増加しても、同じ光源取付部２７を使用しながら対応することが可能となる。
また、直付用放熱部材６５１を使用することで、異なる機種に対して光源取付部２７を統一化でき、複数の形状の異なる放熱部材が光源取付部２７に取り付けられることで、光源取付部２７の共通化が可能となる。
また、金型を使用しない単純な板金を使用して直付用放熱部材６５１を製造することができ、金型費を押さえつつ、効果的な放熱効果が得られる。
【０２１２】
＊＊＊埋込用放熱部材６６１を用いた構成の説明＊＊＊
図３９は、埋込用放熱部材６６１を用いた光源ユニット２０の側面図と断面図である。
図４０は、埋込用放熱部材６６１を用いた光源ユニット２０の分解斜視図と斜視図である。
【０２１３】
天井に埋め込まれる埋込用照明器具は、天井の埋込径により水平方向のサイズの規制があるため、埋込用放熱部材６６１は、光源取付部２７の裏面６６７にネジ止めで取り付けられる。
【０２１４】
埋込用放熱部材６６１は、光源取付部２７の裏面６６７の平面全体と面接触して光源取付部２７の熱を空間に伝達する放熱部材である。
埋込用放熱部材６６１は、光源取付部２７の光源２６と反対側に取り付けられる板状の金属部材である。埋込用放熱部材６６１は、折り曲げ部分がなく、２か所にネジ止め用の貫通孔を形成しただけの、厚さが均一の単純な金属板である。
【０２１５】
光源取付部２７と埋込用放熱部材６６１とは、光源取付部２７の本体１０の内部空間へ突出したコネクタ２４３の部分と切欠き部２７６の部分とを除き、光源が光を出射する縦方向の投影形状が同じである。
【０２１６】
光源取付部２７は、裏面６６７から表面６６６に渡って形成された切欠き部２７６を有し、埋込用放熱部材６６１は、切欠き部２７６を庇状に覆っている。
【０２１７】
光源取付部２７は、裏面６６７から表面６６６に向かって厚さの２分の１だけ窪んだバッテリケース収納部２７８などの窪み部６６８を有し、埋込用放熱部材６６１は、窪み部６６８を庇状に覆っている。
【０２１８】
光源取付部２７は、空間に向かって突出した突出部品６６９を取り付け、埋込用放熱部材６６１は、突出部品６６９を露出させるカット部６７０を有する。カット部６７０は、埋込用放熱部材６６１の外周端部が内周側に引っ込んだＵ字状凹部である。突出部品６６９の具体例は、枠取付金具２５とコネクタ２４３であり、カット部６７０の具体例は、バネ通過凹部６６２とコネクタ通過凹部６６３である。枠取付金具２５に対してバネ通過凹部６６２が形成され、コネクタ２４３に対してコネクタ通過凹部６６３が形成されている。
【０２１９】
＊＊＊埋込用放熱部材６６１を用いた動作の説明＊＊＊
光源ユニット２０を組み立て、その後以下の作業をする。
まず、カット部６７０が突出部品６６９に対応するように埋込用放熱部材６６１を光源取付部２７の裏面６６７に載せる。枠取付金具２５に対してバネ通過凹部６６２を対応させ、コネクタ２４３に対してコネクタ通過凹部６６３を対応させて埋込用放熱部材６６１を光源取付部２７の上面に載せるので、光源取付部２７の裏面６６７の平面の全面が、埋込用放熱部材６６１に面接触する。
次に、ネジ６６４をネジ貫通孔６６５に挿入して、埋込用放熱部材６６１を光源取付部２７にネジ止めする。図７に示すように、光源取付部２７は、ソケット２４を発光面側からネジ２３で固定するため、光源取付部２７を貫通したネジ穴６７３を有している。ネジ６６４をネジ穴６７３にねじ込むことにより、埋込用放熱部材６６１を、発光面と反対側から光源取付部２７の裏面６６７に固定する。埋込用放熱部材６６１は光源取付部２７と面接触して固定される。ネジ穴６７３は、ソケット２４の固定と埋込用放熱部材６６１の固定との両方に用いられる。
次に、埋込用放熱部材６６１が取り付けられた光源ユニット２０を、照明器具１００の本体１０に取り付ける。照明器具１００には、光源取付部２７を取り付ける本体１０があり、本体１０は、筒状の内部の空間を有している。
埋込用放熱部材６６１は、光源取付部２７に固定されて本体１０の内部空間に配置され、光源取付部２７の熱は、本体１０の内部の空間に伝達される。
【０２２０】
埋込用放熱部材６６１として、外形形状が同じであるいは表面面積が同じで厚さのみが異なる埋込用放熱部材６６１を複数種類用意しておき、照明器具の高さの大小あるいは光源の出力の高低に合わせて、複数種類の埋込用放熱部材６６１の中から最適な埋込用放熱部材６６１を取り付ければよい。
【０２２１】
すなわち、埋込用放熱部材６６１は、埋込用放熱部材６６１の形状あるいは面積が同じで厚さが異なる複数種類の円板状の放熱部材の中から光源ユニットが用いられる照明器具の仕様に応じて選択された放熱部材である。
【０２２２】
＊＊＊埋込用放熱部材６６１を用いた効果の説明＊＊＊
この実施の形態によれば、埋込用放熱部材６６１により放熱部分が増えるため、効果的に放熱が可能となる。
また、埋込用放熱部材６６１から空間へ熱を放熱させるので、効果的な放熱効果が見込まれる。
光源取付部２７のソケット２４の固定用のネジ穴６７３を、埋込用放熱部材６６１の固定に用いるので、光源取付部２７に対して埋込用放熱部材６６１の固定のための加工が全く不要である。
また、直付用放熱部材６５１を追加することにより得られる効果と同様の効果が得られる。
【０２２３】
＊＊＊放熱部材を用いた他の構成の説明＊＊＊
光源ユニット２０が用いられる照明器具の仕様に応じて、直付用放熱部材６５１を埋込用照明器具に用いてもよいし、埋込用放熱部材６６１を直付用照明器具に用いてもよいし、直付用放熱部材６５１と埋込用放熱部材６６１の両方を用いてもよい。
放熱効果の向上のために、直付用放熱部材６５１の外径を、枠２９の枠側板７６２の内径と同じにして、直付用放熱部材６５１の外周から、枠２９の枠側板７６２に直接放熱してもよい。
放熱効果の向上のために、埋込用放熱部材６６１の外径を、光源取付部２７の外径より大きくしてもよい。また、他の部品との配置関係から、埋込用放熱部材６６１の外径を、光源取付部２７の外径より小さくしてもよい。
放熱効果の向上のために、直付用放熱部材６５１と埋込用放熱部材６６１との内部空間への露出部分に放熱フィンを形成してもよい。
接触熱抵抗を下げるために光源取付部２７と直付用放熱部材６５１との間に熱伝導シートや放熱グリスを入れてもいい。さらに、枠２９と直付用放熱部材６５１との間に熱伝導シートや放熱グリスを入れてもいい。同様に、接触熱抵抗を下げるために光源取付部２７と埋込用放熱部材６６１との間に熱伝導シートや放熱グリスを入れてもいい。
【０２２４】
実施の形態７．
実施の形態７では、実施の形態１、２、３、４、５、６と異なる点について説明する。
実施の形態７では、本体１０と光源ユニット２０の取付構造について説明する。
【０２２５】
＊＊＊本体１０と光源ユニット２０の取付構造の構成の説明＊＊＊
図４１は、本体１０と光源ユニット２０の取付構造を示す五面図と断面図である。
図４２は、天井に直付けされる直付用照明器具１００の分解斜視図である。
【０２２６】
照明器具１００は、本体１０と、光源を有する光源ユニット２０を有する。
照明器具１００は、本体１０に、点灯装置３０、バッテリユニット４０、電源端子台５０、点検ユニット６０を取り付ける。
本体１０は、枠２９を取り付ける１対の取付バネ７５１を有する。
枠２９は、天井側に近づくにつれ径が大きくなるテーパ形状あるいは円錐台の形状をしている。枠２９は、筒状の枠側板７６２と、枠側板７６２の一端の開口を覆う環状の枠表板７６１とを有する。
枠表板７６１の中央には、レンズ２１を露出させる開口があり、点検スイッチ６２を露出させる点検孔２９４がある。
枠側板７６２の天井側の径Ｄ１は、枠側板７６２の床側の径Ｄ２よりも大きい。
枠側板７６２の天井側の径Ｄ１は、本体１０の側板１２の径Ｄ３よりも大きいので、本体１０の側板１２と枠２９の内面と間には隙間空間Ｋ４が形成され、その隙間空間Ｋ４にバネ固定金具７６３を設けている。隙間空間Ｋ４の幅は、バネ固定金具７６３の半径方向の厚さと同じまたはほぼ同じである。
また、本体１０に固定された点灯装置３０の外面と枠２９の内面の間には配置空間Ｋ５が形成され、その配置空間Ｋ５に取付バネ７５１及びバネ受け７５２を設けている。
バネ受け７５２の最大幅の中心角θ１は、３０度以上４０度以内であり、図４１では３５度である。２個のバネ受け７５２の中央を結ぶ線と点検孔２９４の中心と枠２９の中心軸を結ぶ線との中心角θ２は、４０度以上５０度以下であり、図４１では、４５度である。
【０２２７】
図４３は、直付用照明器具１００の本体１０と光源ユニット２０の分解斜視図である。
【０２２８】
本体１０の側板１２に、バネ固定金具７６３が固定され、バネ固定金具７６３は取付バネ７５１を矢印の方向に回転可能に取り付けている。本体１０は、取付バネ７５１により枠２９を取り付け、本体１０、点灯装置３０、バッテリユニット４０、電源端子台５０、点検ユニット６０が、枠２９の内部に収納される。
【０２２９】
枠２９は、枠側板７６２の内面に、取付バネ７５１を嵌めこむバネ受け７５２を有する。
バネ受け７５２は、金属金具であり、両サイドに、枠２９の径が小さくなるにしたがって間隔が狭くなる１対のバネガイド７５３を有する。
【０２３０】
照明器具１００は、光源ユニット２０の光源の点灯を点検する点検スイッチ６２を有する。
点検スイッチ６２は、本体１０に取り付けられた点検ユニット６０に取り付けられている。点検スイッチ６２は、引き棒を有する。引き棒の先端は、点検孔２９４を通過して外部に露出する。
【０２３１】
図４４の（ｄ）に示すように、取付バネ７５１は、線材であり、先端側のひし形部７５４が略ひし形形状で、根本部７６５が互いに外側を向いており。根本部７６５には、線材の端部が直線方向に伸びた１対の直線部７５５がある。
取付バネ７５１は、点灯装置３０の高さＨと同じ長さを有している。すなわち、図４３において、取付バネ７５１の先端は、点灯装置３０の上面５５７と同じ位置にある。
取付バネ７５１のひし形形状の線材の間隔が最も広い部分は、バネ受け７５２の最も狭い部分よりも間隔が広い。そして、取付バネ７５１のひし形形状の線材の間隔が最も広い部分の間隔は、点灯装置３０の短辺Ｓと同じ長さ又は短辺Ｓの長さ以下の長さである。
【０２３２】
＊＊＊本体１０と光源ユニット２０の取付構造の動作の説明＊＊＊
取付バネ７５１とバネ受け７５２の取付方法について説明する。
バネ固定金具７６３には、取付バネ７５１を通す穴７６４が２か所あり、その穴に取付バネ７５１の直線部７５５を通してから、取付バネ７５１が直線部７５５を軸として回転できるように金具をかしめることで、バネ固定金具７６３に取付バネ７５１を取り付ける。この時、取付バネ７５１は、互いに半径方向の外向きに開いた状態である。
取付バネ７５１は下から押すだけでは半径内側方向にたわみにくい場合があるので、根本にある直線部７５５において金具をかしめる際に半径内側方向にたわむための十分なクリアランスを設けることでたわみやすい構造とする。
２個のバネ固定金具７６３を、側板１２の外周に対向させて固定する。
【０２３３】
バネ受け７５２の金具は、台形状の板金の左右両側をＵ字状に曲げ加工して製造する。
そして、２個のバネ受け７５２を、枠２９の内面にスポット溶接で固定する。
【０２３４】
取付バネ７５１とバネ受け７５２の施工現場における嵌め合せ方法について説明する。
まず、点灯装置３０、電源端子台５０、点検ユニット６０が取り付けられた本体１０を天井に取り付ける。さらに、本体１０に、バッテリユニット４０を組み込む。
次に、枠２９を本体１０に取り付けることになるが、枠２９を手で下から支えて、点検スイッチ６２の引き棒の位置と点検孔２９４の位置とが一致するように、本体１０に設けられた取付バネ７５１に向かって、枠２９を下から上へ近づけてゆく。
バネ受け７５２の上側の中心角θ１は３５度あるので、取付バネ７５１の先端がバネ受け７５２の３５度の範囲内にあれば、取付バネ７５１の先端は、バネ受け７５２の１対のバネガイド７５３の間になり、バネ受け７５２のバネガイド７５３の間を通ることができる。
２個のバネ受け７５２の中央を結ぶ線と点検孔２９４の中心と枠２９の中心軸とを結ぶ線との中心角θ２は４５度であるから、点検孔２９４を取付バネ７５１を結ぶ直線から約４５度回転させて枠２９を下から上へ近づけていけば、取付バネ７５１の先端が確実に３５度の範囲内に入り、回転方向の角度を間違って取り付け枠２９の上下を繰り返す必要がない。
理論的には、点検孔２９４が取付バネ７５１の先端を結ぶ直線から４５度＋３５度／２から４５度−３５度／２の範囲にあれば、取付バネ７５１の先端が３５度の範囲内に入ることになる。
【０２３５】
取付バネ７５１は、枠取付前は、互いに半径方向の外向きに開いた状態なので、枠取付時、枠２９の内面に沿うように半径方向の内向きに手で倒しこみながら、取付バネ７５１の先端をバネ受け７５２のバネガイド７５３の間にスライドさせる。
すなわち、枠取付前、取付バネ７５１が枠２９の外径より広がっており、枠２９を取り付ける際にバネは徐々に枠２９の内面に沿いながら閉じていき、最後に押し上げることで取付バネ７５１とバネ受け７５２とが嵌合する。取付バネ７５１とバネ受け７５２とが嵌合すれば、点検スイッチ６２と孔点検孔２９４との位置が完全に一致し、点検スイッチ６２が点検孔２９４から露出する。
このように、点検スイッチ６２を点検孔２９４から露出させるように枠２９を本体１０に取り付けることにより、取付バネ７５１がバネ受け７５２に嵌めこまれる。
点検スイッチ６２の引き棒と枠２９の点検孔２９４が、挿入時に位置決めの目安となると同時に、本体１０が枠２９の内部に収納されると、枠２９に対して光源２６と点検スイッチ６２の引き棒とが自動的に定位置になる。
【０２３６】
図４４に示すように、バネ受け７５２は、バネガイド７５３の入口部の間隔が出口部の間隔より幅が広く、バネガイド７５３の出口部の間隔は、取付バネ７５１の最大幅より狭い構造となっている。この構造は取付バネ７５１とバネ受け７５２が入りやすくなるような構造である。
本体１０が枠２９の内部に収納される際、引き棒が点検孔２９４に挿入されるように枠２９を押し上げることにより、取付バネ７５１の先端がバネガイド７５３の間に入ることになる。その後、枠２９を押し上げて取付バネ７５１がバネ受け７５２に嵌りこむにしたがって、本体１０と枠２９との回転方向の位置決めがされる。
枠２９を押し込み、取付バネ７５１の最大幅の部分がバネ受け７５２の出口部を乗り越えたとき、取付バネ７５１の復元力はバネ受け７５２に対して本体１０を引っ張る力に切り替わり、この力が本体１０に対する枠２９の保持力となる。
【０２３７】
次に、取付バネ７５１とバネ受け７５２の配置位置ついて説明する。
点灯装置３０は本体１０の中央にレイアウトされる。光源ユニット２０が天井に取り付けられる際、枠２９を上にスライドして取り付ける必要があるが、スライドさせるための作業スペースを確保する必要がある。取付バネ７５１は２か所対称に配置されるため、点灯装置３０の枠２９の内面と対向する内部部品である点灯装置３０の外周面３５４と枠２９の枠側板７６２の内面との間に取付バネ７５１を挿入する配置空間Ｋ５を設けている。この配置空間Ｋ５は、枠２９を円錐台形状にしていることで形成された空間である。側板１２と枠側板７６２との間に隙間空間Ｋ４を形成しているので、配置空間Ｋ５の半径方向の最大幅は、隙間空間Ｋ４の隙間幅と同じである。点灯装置３０の外周面３５４が、本体１０の側板１２の外周面と同じ場合、配置空間Ｋ５の半径方向の幅は、枠表板７６１に向かうほど小さくなる。枠２９の中心軸を含む半径方向の配置空間Ｋ５の断面形状は直角三角形である。
【０２３８】
点灯装置３０は、直方体状の形状を有し、点灯装置３０は、本体１０の中央を横切って、長辺Ｌと短辺Ｓとが存在するように配置され、取付バネ７５１とバネ受け７５２とは、点灯装置３０の短辺Ｓにある外周面３５４と、枠２９の枠側板７６２の内周面との間で、嵌め込まれる。
取付バネ７５１は、点灯装置３０の短辺Ｓにある外周面３５４と本体１０の内周面との間の空間に挿入されるので、取付バネ７５１が半径方向の内側に過剰に倒れこみそうになったとしても点灯装置３０の外周面３５４があることにより、取付バネ７５１が内側に倒れこむ恐れはない。
【０２３９】
＊＊＊本体１０と光源ユニット２０の取付構造の効果の説明＊＊＊
この実施の形態によれば、枠２９ではなく本体１０に取付バネ７５１がついているので、直付用照明器具の場合、取付バネ７５１が枠２９の意匠面に隠れることがなく、取付時に取付バネ７５１の位置が目視できるので、取付バネ７５１を嵌めこみやすい。
【０２４０】
枠２９は、テーパ形状あるいは円錐台の形状をしているので、側板１２との間に隙間空間Ｋ４ができ、側板１２と枠側板７６２の間にバネ固定金具７６３を配置することができる。
【０２４１】
枠２９は、テーパ形状あるいは円錐台の形状をしているので、点灯装置３０の外周面３５４と、枠２９の内周面との間に配置空間Ｋ５が形成でき、取付バネ７５１とバネ受け７５２とを、点灯装置３０の外周面３５４と、枠２９の内周面との間の配置空間Ｋ５に配置することができる。
【０２４２】
取付バネ７５１を、点灯装置３０の外周面３５４と、枠２９の内周面との間に配置しているので、取付バネ７５１の先端から根本部７６５までの長さを、点灯装置３０の外周面３５４の高さＨ以下の範囲で自由に設計することができる。取付バネ７５１の幅を、点灯装置３０の短辺Ｓの長さ以下の範囲又は点灯装置３０の外周面３５４の弧状面の長さ以下の範囲で自由に設計することができる。
【０２４３】
また、本体１０の径Ｄ３の円筒体の内部に本体１０に固定される全ての部品が収納されているので、円錐台の枠２９の枠側板７６２の内周に形成された配置空間Ｋ５の内部であれば、取付バネ７５１を点灯装置３０の高さ以上に長くしてもよい。すなわち、取付バネ７５１の先端から根元部までの長さを、最大、枠２９の高さと同じ長さにすることができる。
【０２４４】
また、バネ受け７５２の金具は、板金の両側を曲げ加工したものであり、加工しやすいし、製造コストを抑えることができる。
また、点検スイッチ６２の引き棒と枠２９の点検孔２９４の位置を合わせてから挿入することにより、枠２９を正規の向きで正規の位置に取付けることができる。
また、本体１０と枠２９を省スペースな空間の中で取付けることができ、器具の小型化が図れる。
【０２４５】
また、この実施の形態の取付構造は、複数種類の直付用照明器具に使用可能であり、部品が他機種と共用可能であり、部品の標準化が図れ、新規部品を追加することなく、複数機種の製造に当たり無駄な部品点数の増加を抑えられる。
【０２４６】
＊＊＊本体１０と光源ユニット２０の取付構造の他の構成の説明＊＊＊
取付バネ７５１の略ひし形形状の角度を調整することで、枠２９を装着するときに必要な力と取り外す時に必要な力を調整可能である。例えば、取付バネ７５１を、図４４の（ｄ）のひし形部７５４から（ｅ）の矢じり部７５６のような角度に調整した場合、装着時の力より保持力が大きくなる。
点検孔２９４をバネ受け７５２の中央を結ぶ線上に設けてもよい。バネ受け７５２の中央を結ぶ線と点検孔２９４と中心軸とを結ぶ線の中心角θ２を０度にすれば、点検孔２９４を取付バネ７５１を結ぶ直線と一致させてはめ込むことができ、さらに容易に枠２９をはめ込むことができる。
取付バネ７５１の長さを枠２９の高さの半分以下とすれば、器具の小型化が実現可能となる。
点検スイッチ６２は、引き棒形式のものではなく、点検孔２９４から露出する押しボタン形式のスイッチでもよい。
枠２９の枠側板７６２は、外径Ｄ１の円筒体でもよい。枠２９の枠側板７６２は、断面が多角形の多角柱筒体でもよい。
【０２４７】
実施の形態８．
実施の形態８では、実施の形態１、２、３、４、５、６、７と異なる点について説明する。
実施の形態８では、本体１０と光源ユニット２０の取付構造について説明する。特に、取付バネ７５１とバネ受け７５２とバネ立設部７９０の構造について説明する。
【０２４８】
＊＊＊本体１０と光源ユニット２０の取付構造の構成の説明＊＊＊
図４５、図４６は、天井に直付けされる直付用照明器具１００の分解斜視図である。
図４７は、本体１０の平面図とＣＣ断面図とＤＤ拡大断面図である。
図４８は、バネ立設部７９０を示す図である。
【０２４９】
直付用照明器具１００は、取付バネ７５１を有する本体１０と、筒状の枠２９と光源とを有する光源ユニット２０とを備えている。
光源ユニット２０は、枠２９を有し、枠２９は、円錐台の形状をしている。光源ユニット２０は、枠２９の内面に、取付バネ７５１を嵌めこむバネ受け７５２を有する。
本体１０は、奥板１１と、奥板１１の縁から立設された側板１２とを有する。
奥板１１は円板であり、側板１２は、円筒板である。
奥板１１と側板１２とは直交している。すなわち、側板１２は、取付バネ７５１の先端に方向に向かって、奥板１１の外周から立設されている。
側板１２は、取付バネ７５１を取り付けるバネ立設部７９０を有する。バネ立設部７９０は、取付バネ７５１を側板１２の立設方向と同じ方向に立設させて取り付ける。
【０２５０】
＊＊＊バネ立設部７９０＊＊＊
図４７、図４８に示すように、バネ立設部７９０は、取付バネ７５１の両端を挿入する１対の橋梁部７９２と取付バネ７５１の抜け防止のための凸部７９３とを有する。
橋梁部７９２は、トンネル形状に形成され、軸Ｏから見た場合、ホームベース状の形状をしている。
橋梁部７９２は、取付バネ７５１の先端にある直線部７５５を挿入する挿入孔７９４を有する。
挿入孔７９４の挿入口７９５は、傾斜端７９６を有する。１対の挿入孔７９４は同一円周に形成され、一対の挿入口７９５は対向している。一対の傾斜端７９６も対向して配置されている。
傾斜端７９６は、側板１２の立設方向に近づくにつれて徐々に斜めに広く開口されている。
挿入口７９５の反対側には、挿入孔７９４の出口７９７がある。
【０２５１】
図４７の（ｃ）に示すように、１対の橋梁部７９２の間隔Ｖ１は、取付バネ７５１の直線部７５５の長さＶ２よりも長いが、直線部７５５の長さＶ２を合計した長さよりも短い。すなわち、対向する１対の挿入口７９５の最大距離をＶ１とすると、Ｖ２＜Ｖ１＜Ｖ２＋Ｖ２である。
【０２５２】
また、側板１２は、１対の橋梁部の間に凸部７９３を有する。凸部７９３は、取付バネ７５１の根線部７７０の間にあり、側板１２から中心方向に突出している。
【０２５３】
＊＊＊取付バネ７５１＊＊＊
図４９は、取付バネ７５１の三面図である。
取付バネ７５１は、ひし形形状の線材である。
取付バネ７５１は、直角曲げ部７６９で、直角に曲げられている。
【０２５４】
取付バネ７５１は、２か所の折り曲げ部を有する。
折り曲げ部７６７では、角度θ８だけ折り曲げられ、折り曲げ部７６８では、逆方向に角度θ８だけ折り曲げられている。
図４９において、角度θ８は１５０度である。このように線材は、２か所の折り曲げ部で鈍角に曲げられている。
【０２５５】
取付バネ７５１は、直角曲げ部７６９より先の直線部７５５と、直角曲げ部７６９と折り曲げ部７６７の間の根線部７７０と、折り曲げ部７６７と折り曲げ部７６８の間の傾斜線部７７１と、折り曲げ部７６８よりバネ頂部７７３までのひし形線部７７２を有する。
【０２５６】
直線部７５５は、側板１２の円周に沿うように曲げられている。図４９において、角度θ９は５度である。このように直線部７５５は、２か所の直角曲げ部７６９によりハの字を形成している。
【０２５７】
以上のように、取付バネ７５１は、挿入孔７９４に挿入される直線部７５５と、直線部７５５とつながっており側板１２に沿った根線部７７０と、根線部７７０とつながっており側板１２をまたぐ傾斜線部７７１と、傾斜線部７７１とつながっており根線部７７０と平行なひし形線部７７２とを有する。
【０２５８】
＊＊＊バネ受け７５２＊＊＊
図５０は、バネ受け７５２の斜視図と三面図である。
【０２５９】
バネ受け７５２は、ガイド板部７８１と、ガイド板部７８１の両側に配置された１対のサイド板部７８２と、サイド板部７８２とつながっている１対の接合板部７８３とを有する。
ガイド板部７８１は、取付バネ７５１を挿入するための矩形状の平面であり、取付バネ７５１の半径方向のはめ込みをガイドする。
サイド板部７８２は、取付バネ７５１を幅方向にガイドする台形状の傾斜面であり、取付バネ７５１の左右方向のはめ込みをガイドする。
ガイド板部７８１は、サイド板部７８２よりも、本体１０がある方向に高さＴ３だけ突出した突出板部７８６を有する。
【０２６０】
ガイド板部７８１とサイド板部７８２とのなす角度θ６は直角である。
サイド板部７８２と接合板部７８３とのなす角度θ７は直角未満である。
【０２６１】
ガイド板部７８１は、突出板部７８６の角を斜めにカットしたテーパ部７８８を有する。
【０２６２】
接合板部７８３は、枠２９の内面形状に沿った翼状の取り付け面であり、光源ユニット２０の内面にスポット溶接される曲面を有する。
【０２６３】
接合板部７８３は、光源ユニット２０と同一半径を有する。
光源ユニット２０は、円錐台の形状をしており、接合板部７８３は、光源ユニット２０の内面と同一形状の外面を有する。
【０２６４】
接合板部７８３は、光源ユニット２０の内面に固定され、サイド板部７８２は、ガイド板部７８１と光源ユニット２０の内面との間に配置される。
【０２６５】
＊＊＊バネ立設部７９０の製造方法の説明＊＊＊
【０２６６】
側板１２に対して、図４７の（ｃ）の挿入口７９５と出口７９７に相当する部分に切りこみを入れる。次に、切りこみを入れた間の部分を、ホームベース形状をしたかまぼこ型の治具でプレスする。このプレス加工により、側板１２に切欠き７９１が形成され、切りこみを入れた間の部分は、側板１２からトンネル状に突出し橋梁部７９２が形成される。
このように、１対の橋梁部７９２は、側板１２の一部をトンネル形状にプレス加工した部分である。
また、凸部７９３は、１対の橋梁部７９２の間の側板１２に対して、縦方向に平行な切り込みを入れ、内側に９０度曲げることにより形成する。
【０２６７】
＊＊＊バネ立設部７９０への取付バネ７５１の取付動作の説明＊＊＊
図５１は、バネ立設部７９０の動作を示す図である。
取付バネ７５１を摘まんで狭め、本体１０の橋梁部７９２に挿入する。
図４７の（ｃ）に示したとおり、１対の橋梁部７９２の間隔Ｖ１は、１対の直線部７５５の長さＶ２を合計した長さよりも短い。そこで、指で傾斜線部７７１を挟み、根線部７７０をＸ字状にクロスさせて、１対の直線部７５５の両端の間隔が１対の橋梁部７９２の間隔Ｖ１以下になるようにしてから、直線部７５５を挿入孔７９４に挿入する。
【０２６８】
その際、取付バネ７５１は、円筒形状の側面に対して、斜めに傾けた状態とする。凸部７９３が存在しているので、図５１の（ａ）のように、取付バネ７５１を傾けて、直線部７５５を挿入孔７９４に挿入する。奥板１１に対する角度θ５は４５度である。凸部７９３は、取付バネ７５１が角度θ５が７０度以下の傾きの場合に挿入できる程度、突出している。
【０２６９】
直線部７５５の両端が挿入孔７９４の挿入口７９５に挿入できた場合、２本の指の力を解除して、Ｘ字状に交差した根線部７７０を離隔させ、直線部７５５を挿入孔７９４に挿入する。
取付バネ７５１を開放すると、取付バネ７５１が広がり、取付バネ７５１の根線部７７０が橋梁部７９２の傾斜端７９６にあたり、本体１０の円筒形状の側面に沿った形で立ち上がる。
すなわち、図４８に示すように、根線部７７０が挿入口７９５に達すると、根線部７７０は傾斜端７９６にあたる。傾斜端７９６は、取付バネ７５１の挿入孔７９４への挿入方向へのバネ力Ｐ１により取付バネ７５１を回転させる回転力Ｐ２を生成する。こうして、根線部７７０は傾斜端７９６により４５度から９０度方向に回転する。こうして、取付バネ７５１が傾斜端７９６にガイドされて広がり、本体１０の底面に対して立上った状態となる。
【０２７０】
取付バネ７５１が立ち上がると、側板１２は、凸部７９３の両側にある側板１２の壁面で取付バネ７５１の回転を抑制する。その結果、図５１の（ｂ）のとおり、取付バネ７５１が側板１２の立設方向と同じ方向に立設する。
【０２７１】
取付バネ７５１が立ち上がると、取付バネ７５１は、側板１２の高さより高い位置で２か所の折り曲げ部を有しているので、取付バネ７５１は、側板１２をまたいで、立設される。すなわち、根線部７７０は、側板１２の内壁面に沿って内壁面に接触しており、傾斜線部７７１が、半径方向外側に延びて側板１２をまたぎ、ひし形線部７７２が側板１２の外壁面の外側に配置される。
【０２７２】
取付バネ７５１が立設した状態では、根線部７７０の間に凸部７９３が存在しており、根線部７７０が左右にずれても凸部７９３にぶつかるので、直線部７５５が挿入孔７９４から抜けることがない。
また、取付バネ７５１が立ち上がった状態で、取付バネ７５１を指で幅手方向に狭めたとき、取付バネ７５１が凸部７９３にあたるため、取付バネ７５１は橋梁部７９２から外れない。
取付バネ７５１をバネ立設部７９０から外す場合は、取付バネ７５１を奥板１１に対して７０度未満に傾け、かつ、根線部７７０をクロスさせなければならない。
【０２７３】
＊＊＊本体１０と光源ユニット２０の取付動作の説明＊＊＊
図５２は、本体１０と光源ユニット２０の取付説明図である。
図５３は、バネ受け７５２と取付バネ７５１の嵌めこみ図である。
【０２７４】
図５２の（ａ）に示すように、取付バネ７５１を取り付けた本体１０に、前述した実施の形態で述べたように、点灯装置３０及びその他の部品を固定する。ただし、バッテリユニット４０は、後から点灯装置３０に装着する。その際、取付バネ７５１は自立しているので、取付バネ７５１が点灯装置３０及びその他の部品の固定作業を邪魔することはない。
図５２に示す場合は、バネ立設部７９０と取付バネ７５１とが、点灯装置３０の長手方向Ｙではなく、作業空間配置方向Ｘに配置されている。その理由は、内側に突出しているバネ立設部７９０を作業空間に配置するためである。
【０２７５】
本体１０に点灯装置３０及びその他の部品を固定した後、本体１０を天井に固定する。
次に、点灯装置３０にバッテリユニット４０を装着し、本体１０と光源ユニット２０をワイヤー１１４で結ぶ。
次に、図５３に示すように、天井に固定された本体１０に対して光源ユニット２０を下から上に押し上げて、光源ユニット２０を本体１０に取り付ける。その際、取付バネ７５１が光源ユニット２０の内面に接し、光源ユニット２０の押し上げに伴い取付バネ７５１が光源ユニット２０の内面に沿ってスライドしてゆく。
万が一、光源ユニット２０の軸が本体１０の軸と一致しない場合でも、突出板部７８６が取付バネ７５１のバネ頂部７７３をバネ受け７５２に誘導するので、取付バネ７５１は、サイド板部７８２に嵌めこまれる。
光源ユニット２０の押し上げに伴い、取付バネ７５１が１対のサイド板部７８２のバネ受け端部７８７に接触する。光源ユニット２０の更なる押し上げに伴い、取付バネ７５１の幅が狭くなり、取付バネ７５１の最大幅部７６６がバネ受け端部７８７を超えた時点で、取付バネ７５１の復元力により、本体１０と光源ユニット２０とがひきつけられる。
こうして、本体１０と光源ユニット２０の取付動作が終了する。
【０２７６】
図５４は、本体１０と光源ユニット２０の取付構造の部分断面図である。
図５４と図４６とに示す長さは以下のとおりである。
Ｄ：本体１０の直径。
Ｄ１：光源ユニット２０の枠２９の最大内径。
Ｄ２：１対のバネ受け７５２の距離。
Ｄ３：本体１０と光源ユニット２０との隙間。
Ｄ４：側板１２とガイド板部７８１との隙間。
Ｄ５：１対のバネ受け７５２の対角線の長さ。
Ｄ６：側板１２の内径。
Ｔ２：奥板１１からの側板１２の高さ。
Ｔ３：突出板部７８６の高さ。Ｔ２＝Ｔ３。
Ｔ４：本体１０の軸方向の長さ。
Ｔ５：枠２９の開口とサイド板部７８２の板端部７８４との距離。Ｔ４＝Ｔ５。
【０２７７】
図５４において、光源ユニット２０の枠２９の最大内径をＤ１とし、本体１０の直径をＤとし、バネ受け７５２の距離をＤ２とすると、Ｄ１＞Ｄ＞Ｄ２となる。
Ｄ１＞Ｄなので、光源ユニット２０の開口部分と本体１０との間には、隙間Ｄ３がある。隙間Ｄ３が３６０度方向に存在することにより、光源ユニット２０の本体１０への取付の際に、光源ユニット２０の開口端部７９８が本体１０の側板端部７９９にあたることがない。
【０２７８】
さらに、Ｄ＞Ｄ２なので、奥板１１と突出板部７８６との間には、隙間Ｄ４がある。隙間Ｄ４は、橋梁部７９２と凸部７９３との側板１２からの高さより大きい。橋梁部７９２と凸部７９３は、奥板１１と側板１２と突出板部７８６とに３方向を挟まれた閉空間に配置される。
【０２７９】
光源ユニット２０のはめ込み終了時の光源ユニット２０と本体１０との軸方向の位置決めについて説明する。
図５４に示すように、バネ受け７５２は、取付バネ７５１を嵌めこんだ状態で、光源ユニット２０を本体１０に位置決めする。
【０２８０】
取付バネ７５１を嵌めこむと、取付バネ７５１は、バネ力により本体１０と光源ユニット２０とを軸方向において互いに引き付ける。本体１０が光源ユニット２０の開口に収納されると、Ｔ４＝Ｔ５なので、側板１２の側板端部７９９とサイド板部７８２の板端部７８４とが突き当たる。この突き当てにより、光源ユニット２０と本体１０とが軸方向において位置決めされる。
【０２８１】
また、本体１０が光源ユニット２０の開口に収納されると、Ｔ２＝Ｔ３なので、奥板１１の内面とガイド板部７８１の板端部７８５とが突き当たる。この突き当てにより、光源ユニット２０と本体１０とが軸方向において位置決めされる。
なお、Ｔ２＝Ｔ３、Ｔ４＝Ｔ５に限定されることなくＴ２≦Ｔ３、Ｔ４≧Ｔ５であればよく、この場合Ｔ４＝Ｔ５又はＴ２＝Ｔ３のいずれかの条件を満たさなくなるが、いずれか一方の条件を満たせばよい。
【０２８２】
ガイド板部７８１とサイド板部７８２とによる位置決めは、片方による位置決めでも両方による位置決めでもよく、ガイド板部７８１とサイド板部７８２のすくなくとも一方は、光源ユニット２０に対する本体１０の位置決めに用いられる。
【０２８３】
また、Ｄ５＝Ｄ６として、ガイド板部７８１の両端を側板１２の内面に接触させてもよい。ガイド板部７８１の角にはテーパ部があるので、ガイド板部７８１の両端が側板１２の内側に容易に入りこむことができる。本体１０が光源ユニット２０の開口に収納されると、Ｄ５≦Ｄ６（好ましくはＤ５＝Ｄ６）なので、１対のガイド板部７８１の両端が側板１２の内周面と突き当たる。この突き当てにより、光源ユニット２０と本体１０とが半径方向において位置決めされる。
【０２８４】
＊＊＊効果の説明＊＊＊
本実施の形態によれば、バネ立設部７９０が取付バネ７５１を自立させるので、取付バネ７５１に手を添えることなく光源ユニット２０を押し上げるだけで光源ユニット２０を本体１０に取り付けることができる。また、本体１０への部品取り付けの際に取付バネ７５１が邪魔にならない。
また、バネ立設部７９０は、特別な部品を必要とせず奥板１１を加工するだけで形成できる。
また、凸部７９３があるので、取付バネ７５１の抜けを防止することができる。また、１対の直線部７５５の合計長が１対の橋梁部７９２の間隔より長いので、取付バネ７５１が外れにくい。
また、取付バネ７５１が折り曲げ部を有しており、取付バネ７５１を半径方向外側に配置できるので、バネ受け７５２の半径方向の厚みを薄くでき、光源ユニット２０の内部空間を広く利用することができる。
また、直線部７５５が、側板１２の内壁に沿うようにハの字に曲げられているので、取付バネ７５１が自立した状態で根線部７７０が側板１２の内壁に確実に接触することができる。
結果として、取付バネ７５１を本体１０へ組み立てる組立性が向上できるとともに、本体１０へ取り付ける後は取付バネ７５１が本体１０から外れないようにすることができる。
【０２８５】
また、本実施の形態によれば、取付バネ７５１を挿入する際、取付バネ７５１がサイド板部７８２とガイド板部７８１と沿ってスライドし易くなる。
また、１対のサイド板部７８２によって狭められた力が開放されて取付バネ７５１が広がるので、サイド板部７８２のバネ受け端部７８７に取付バネ７５１を引っ掛けることができる。
また、バネ受け７５２が、光源ユニット２０の取付と光源ユニット２０の位置決めとの両方の機能を発揮することができる。
その際、光源ユニット２０の位置決めは、特別な部品を必要とせず、サイド板部７８２又はガイド板部７８１で兼用することができる。
また、ガイド板部７８１が突出板部７８６を有しているので、取付バネ７５１を確実にバネ受け７５２に誘導することができる。
また、接合板部７８３が光源ユニット２０の内面と同じ曲面を有しているので、光源ユニット２０の内壁との接触面積が大きくなり、バネ受け７５２と光源ユニット２０との接触力が強くなり、バネ受け７５２を光源ユニット２０に確実に固定することができる。
また、ガイド板部７８１とサイド板部７８２とのなす角度が直角の場合は、バネ受け７５２が製造しやすい利点がある。
結果として、取付バネ７５１を取り付けるためのバネ受け７５２を円筒形状の枠２９に強固に固定することができ、かつ、バネ受け７５２への取付バネ７５１の挿入を容易にすることができる。
【０２８６】
＊＊＊本体１０と光源ユニット２０の取付構造の他の構成の説明＊＊＊
図５５の（ａ）から（ｅ）は、バネ立設部７９０の橋梁部７９２の他の構成を示す図である。
橋梁部７９２は、軸Ｏから見て、ホームベース状でなくてもよく、矢羽根状もよいし、台形状でもよく、傾斜端７９６が対向して形成されていればよい。
また、図５５の（ｄ）のように、平行四辺形状でもよい。また、図５５の（ｅ）のように、挿入孔７９４の出口７９７を挿入口７９５より大きくしてもよい。取付バネ７５１を４５度に傾けて挿入する場合に、点線で示すように、取付バネ７５１の直線部７５５が奥板１１の方向にハの字に傾斜しているので、（ｄ）又は（ｅ）の場合は、直線部７５５の先端が傾斜端７９６から出やすくなる。
【０２８７】
図５６に示すように、橋梁部７９２を側板１２の外側に突出させてもよい。この場合は、取付バネ７５１に折り曲げ部を設ける必要はなく、取付バネ７５１は、直線部７５５がハの字になっている以外、平面内に存在する。
図５６の場合は、サイド板部７８２による位置決めをしており、ガイド板部７８１による位置決めは行っていない。
【０２８８】
図５７の（ａ）に示すように、ガイド板部７８１を曲面にしてもよい。ガイド板部７８１を曲面にすれば、光源ユニット２０の内部空間を大きくすることができる。
【０２８９】
また、図５７の（ｂ）に示すように、ガイド板部７８１とサイド板部７８２とのなす角度θ６を直角ではなく鈍角としてもよい。角度θ６が鈍角の場合は、サイド板部７８２のバネ受け端部７８７には、取付バネ７５１の広がろうとするバネ力Ｐ１がかかるため、サイド板部７８２は、取付バネ７５１を半径外側方向に押し出すＰ３を生成する。このため、取付バネ７５１は、サイド板部７８２の傾斜に沿って光源ユニット２０の内面まで押され位置Ｔに移動する。あるいは位置Ｔに近づくように移動する。すなわち、サイド板部７８２の傾斜により取付バネ７５１を光源ユニット２０の内面に押し付けることができ、取付バネ７５１が光源ユニット２０の内部の部品に接触することを防止することができる。
【０２９０】
また、図５７の（ｃ）に示すように、ガイド板部７８１の中央に、バネ止め７８９を設けてもよい。バネ止め７８９は、ガイド板部７８１の一部を切り欠いて取付バネ７５１を嵌めこむ方向に向かって斜めに隆起させたものである。
取付バネ７５１を嵌めこむ場合、バネ止め７８９が斜めに隆起しているので取付バネ７５１をのりこえてゆく。取付バネ７５１がはずれた場合に、バネ止め７８９は、取付バネ７５１のバネ頂部７７３を一時的に引っ掛けることができる。ただし、取付バネ７５１のバネ頂部７７３が、バネ止め７８９から離れて通過する場合は、バネ止め７８９が取付バネ７５１のバネ頂部７７３を引っ掛けることはできない。
【０２９１】
実施の形態９．
実施の形態９では、実施の形態１、２、３、４、５、６、７、８と異なる点について説明する。
【０２９２】
照明器具１００は、バッテリユニット４０及び点検ユニット６０を備えていない一般の照明器具であってもよい。
照明器具１００は、天井埋込型でなくてもよく、天井直付け型でもよい。
照明器具１００の被取付部は、天井でなくてもよく、梁、桁、桟、横木、屋根、覆い、庇でもよい。
本体１０は、四角柱、五角柱、六角柱、八角柱などの多角柱形状でもよい。円錐台、角錐台などの錐台形状でもよい。
奥板１１は、板状でなくてもよく、梁状、梯子状、網状でもよい。
本体１０と奥板１１に、通気口を設けてもよい。
【０２９３】
本体１０を天井などの被取付部へ固定配置する際に、器具取付金具１４を操作しやすくするために、例えば、点灯装置３０の外郭に、窪み形状を設けてもよい。本体１０の内部での点灯装置３０と器具取付金具１４との配置位置によって、窪み形状を設ける場所を変化させてもよい。
【０２９４】
器具取付部１０２として、器具取付金具１４と器具取付穴１１５を示したが、器具取付部１０２は、器具を天井などの被取付部に取り付ける構造であればよい。例えば、引っ掛け構造、圧入構造、バネ構造、ねじ込み構造、これらの組み合わせ構造でもよい。
【０２９５】
図１３に示した光源取付部２７と本体１０との空間Ｓ１、Ｓ２をなくし、光源取付部２７を本体１０にも接触させ、光源取付部２７から本体１０に伝熱するようにしてもよい。
【０２９６】
点灯装置３０の点灯回路基板３３１と充電回路基板３３２とは、同一形状でなくともよい。例えば、充電回路基板３３２を半分に削減することにより、削減された部分の点灯装置３０の短辺方向の幅を薄くでき、器具取付作業空間７０とバッテリ取付空間７１を大きくすることができる。
【０２９７】
光源取付部２７と枠２９との固定は、ネジを用いてもよいし、接着剤を用いてもよい。
ブリッジ２９３を形成する場合、枠２９を加工するのではなく、枠２９の裏面にブリッジ状の金属板をネジ固定あるいは溶接固定してもよい。
【０２９８】
点灯装置３０の回路基板を、点灯回路基板３３１と点灯回路基板３３１とに分けずに、１枚の基板としてもよい。１枚の基板にする場合は、回路部品を両面に実装すればよい。１枚の基板にする場合は、基板ホルダ３３３と基板接続用ハーネス３３４とは不要になり、点灯装置３０の薄型化が図れ、部品点数の削減ができる。
【０２９９】
枠２９の点検スイッチ６２に対応する点検孔２９４の周辺を凹形状として、点検スイッチ６２を枠２９の表面から突出させないようにしてもよい。
また、点検スイッチを枠２９の表面から突出しない押しボタンスイッチとすることで、配光への影響がない状態にしてもよい。
【０３００】
光源２６は、白熱ランプ、蛍光灯、複数のＬＥＤが実装されたＬＥＤ光源でもよい。また有機ＥＬを用いてもよい。
【０３０１】
電源端子台５０の配置は、点灯装置３０の中央にある端子台収納部３５２でなくてもよく、点灯装置３０の長手方向で本体１０の内周面近傍に端子台収納部３５２を設けてもよい。その際は、電源端子台５０の端子台収納部３５２の形成位置に合わせて、回路基板の形状を、凹型ではなく、Ｌ型、Ｔ型などに変化させればよい。
また、電源端子台５０は、点灯装置３０と電気的接続は保ちながら、点灯装置３０とは切離した状態で本体１０の内部の別の箇所へ配設してもよい。
【０３０２】
点検ユニット６０の点検基板６４は、充電回路基板３３２と電気的接続がなされてもよい。
点検ユニット６０は、点灯装置３０の装置ケース３５の内部に収納されてもよく、小型化を図ることができる。
点検ユニット６０は、点灯装置３０と電気的接続は保ちながら、点灯装置３０とは切離した状態で本体１０の内部の別の箇所へ配設してもよい。
【符号の説明】
【０３０３】
１００  照明器具、１０  本体、１０１  開口部、１０２  器具取付部、１１  奥板、１１１  ネジ孔、１１２  ネジ穴、１１３  端子露出孔、１１４  ワイヤー、１１５  器具取付穴、１２  側板、１２１  バッテリ固定用金具、１２２  横止め片、１２３  スリット、１２４  光源取付孔、１３  鍔、１４  器具取付金具、１７  固定穴、１８  ネジ、１９  ネジ、１９１  ネジ、２０  光源ユニット、２１  レンズ、２１１  凹部、２１２  つば部、２２  パッキン、２３  ネジ、２４  ソケット、２４１  凸部、２４２  電線、２４３  コネクタ、２５  枠取付金具、２５１  固定板部、２５１１  三又部、２５１２  立板部、２５１３  挟持板部、２５１４  嵌め孔、２５２  平板部、２５３  取付板部、２５４  歯、２５５  切起こし、２５６  曲げ部、２５７  嵌め孔、２６  光源、２７  光源取付部、２７０  窪み、２７１  ソケット収納部、２７２  コネクタ固定孔、２７３  ブリッジ挿入孔、２７４  つまみ収納部、２７５  薄肉部、２７６  切欠き部、２７７  外周面、２７８  バッテリケース収納部、２７９  ネジ取付部、２７９１  厚肉部、２７９２  ネジ穴、２７９３  テーパ面、２７９４  傾斜部、２９  枠、２９１  突出部、２９２  ブリッジ加工部、２９３  ブリッジ、２９４  点検孔、２９５  レンズ孔、２９６  錐状ネジ受け部、２９７  ネジ孔、２９８  ネジ、３０  点灯装置、３１  バッテリ側ケース、３１１  ケース爪穴、３１２  コネクタ固定孔、３１２１  コネクタ面、３１３  ハーネス用スリット、３１４  装着ガイド、３１５  補助ガイド、３１６  スライド壁、３１７  ガイド溝、３１８  コネクタ設置面、３１９  底面、３２  点検スイッチ側ケース、３２１  ケース爪、３２２  開口部、３２３  横爪穴、３２４  突出爪、３２５  ネジボス、３３  基板ユニット、３３１  点灯回路基板、３３１２  基板凹部、３３１３  部品搭載面、３３１４  半田面、３３２  充電回路基板、３３２２  基板凹部、３３２３  部品搭載面、３３２４  半田面、３３３  基板ホルダ、３３３１  爪、３３３２  ホルダ凹部、３３３３  ハーネス固定部、３３３４  絶縁壁、３３３５  サイド壁、３３４  基板接続用ハーネス、３３５  バッテリ用ハーネス、３３５１  バッテリ側コネクタ、３３６  光源用ハーネス、３３６１  光源用コネクタ、３３７  点検スイッチ用ハーネス、３３７１  点検スイッチ側コネクタ、３５  装置ケース、３５１  点検ユニット装着部、３５２  端子台収納部、３５３  サイド面、３５４  外周面、３６  バッテリ取付部、３７  ネジ固定部、４０  バッテリユニット、４１  電池、４２  バッテリケース、４２１  電線収納部、４２２  電池収納部、４３  つまみ、４４  縦凹部、４５  バッテリコネクタ、４６  ガイドリブ、４６１  リブテーパ部、４７  張出部、５０  電源端子台、５１  端子本体、５２  端子取付板、５３  ネジ穴、５４  端子台用ハーネス、６０  点検ユニット、６１  ユニット筐体、６１１  固定機構、６１２  横爪、６１３  横爪、６１４  平面部、６１５  筒状弧部、６２  点検スイッチ、６３  コイルバネ、６４  点検基板、６５  充電モニタ、６６  点検スイッチ用コネクタ、６７  縦移動制限機構、６７１  突出爪、６９  ネジボス、７０  器具取付作業空間、７１  バッテリ取付空間、７２  熱遮断空間、７３  収納空間、７４  へこみ空間、８０  常用時用光源、８１  樹脂カバー、８２  点灯装置、９０  非常時用光源、Ｌ  長辺、Ｓ  短辺、Ｈ  高さ、ＬＫ  長辺、ＳＫ  短辺、Ｘ  作業空間配置方向、Ｙ  点灯装置長手方向、Ｍ  嵌め合い構造、Ｎ  拡大部、３００  基板ユニット装置、５５１  コネクタ取付部、５５２  ガイドリブ、５５３  横抑制リブ、５５４  奥抑制リブ、５５５  横抑制リブ、５５６  壁面、５５７  上面、５５８  胴凸部、５５９  つまみ、５６０  胴部、５６１  ホルダスリット、５６２  ケーススリット、５６３  熱伝導部材、５７１  脱落防止リブ、５７２  脱落防止部、５７３  ホルダ押え部、５７４  端縁、５７５  外周、５７６  頂部、５７７  外面、６５０  放熱部材、６５１  直付用放熱部材、６５２  開口部、６５４  位置決め用凹部、６５５  位置決め用凸部、６５６  バネ避け部、６５７  バネ通過部、６５８  コネクタ通過部、６５９  スイッチ通過部、６６０  バネ取付部、６６１  埋込用放熱部材、６６２  バネ通過凹部、６６３  コネクタ通過凹部、６６４  ネジ、６６５  ネジ貫通孔、６６６  表面、６６７  裏面、６６８  窪み部、６６９  突出部品、６７０  カット部、６７２  接触表面、６７３  ネジ穴、７５１  取付バネ、７５２  バネ受け、７５３  バネガイド、７５４  ひし形部、７５５  直線部、７５６  矢じり部、７６１  枠表板、７６２  枠側板、７６３  バネ固定金具、７６４  穴、７６５  根本部、Ｋ４  隙間空間、Ｋ５  配置空間、７６６  最大幅部、７６７  折り曲げ部、７６８  折り曲げ部、７６９  直角曲げ部、７７０  根線部、７７１  傾斜線部、７７２  ひし形線部、７７３  バネ頂部、７８１  ガイド板部、７８２  サイド板部、７８３  接合板部、７８４  板端部、７８５  板端部、７８６  突出板部、７８７  バネ受け端部、７８８  テーパ部、７８９  バネ止め、７９０  バネ立設部、７９１  切欠き、７９２  橋梁部、７９３  凸部、７９４  挿入孔、７９５  挿入口、７９６  傾斜端、７９７  出口、７９８  開口端部、７９９  側板端部。
【図１】
2020057614.tif 000003
【図２】
2020057614.tif 000004
【図３】
2020057614.tif 000005
【図４】
2020057614.tif 000006
【図５】
2020057614.tif 000007
【図６】
2020057614.tif 000008
【図７】
2020057614.tif 000009
【図８】
2020057614.tif 000010
【図９】
2020057614.tif 000011
【図１０】
2020057614.tif 000012
【図１１】
2020057614.tif 000013
【図１２】
2020057614.tif 000014
【図１３】
2020057614.tif 000015
【図１４】
2020057614.tif 000016
【図１５】
2020057614.tif 000017
【図１６】
2020057614.tif 000018
【図１７】
2020057614.tif 000019
【図１８】
2020057614.tif 000020
【図１９】
2020057614.tif 000021
【図２０】
2020057614.tif 000022
【図２１】
2020057614.tif 000023
【図２２】
2020057614.tif 000024
【図２３】
2020057614.tif 000025
【図２４】
2020057614.tif 000026
【図２５】
2020057614.tif 000027
【図２６】
2020057614.tif 000028
【図２７】
2020057614.tif 000029
【図２８】
2020057614.tif 000030
【図２９】
2020057614.tif 000031
【図３０】
2020057614.tif 000032
【図３１】
2020057614.tif 000033
【図３２】
2020057614.tif 000034
【図３３】
2020057614.tif 000035
【図３４】
2020057614.tif 000036
【図３５】
2020057614.tif 000037
【図３６】
2020057614.tif 000038
【図３７】
2020057614.tif 000039
【図３８】
2020057614.tif 000040
【図３９】
2020057614.tif 000041
【図４０】
2020057614.tif 000042
【図４１】
2020057614.tif 000043
【図４２】
2020057614.tif 000044
【図４３】
2020057614.tif 000045
【図４４】
2020057614.tif 000046
【図４５】
2020057614.tif 000047
【図４６】
2020057614.tif 000048
【図４７】
2020057614.tif 000049
【図４８】
2020057614.tif 000050
【図４９】
2020057614.tif 000051
【図５０】
2020057614.tif 000052
【図５１】
2020057614.tif 000053
【図５２】
2020057614.tif 000054
【図５３】
2020057614.tif 000055
【図５４】
2020057614.tif 000056
【図５５】
2020057614.tif 000057
【図５６】
2020057614.tif 000058
【図５７】
2020057614.tif 000059